(57)【特許請求の範囲】
【請求項１】
主熱交換器（HEX2）、冷媒の搬送手段（30）、膨張機構（EV）及び利用側熱交換器（HEX1）が配管接続されて搬送用冷媒を循環させる熱搬送回路（20）と、
上記主熱交換器（HEX2）に接続されて上記熱搬送回路（20）の搬送用冷媒に冷熱を付与する熱源（10）とを備える冷凍装置であって、
上記熱搬送回路（20）は、搬送手段（30）で循環駆動力を付与されて膨張機構（EV）へ送られる液相の搬送用冷媒を所定温度にまで加熱するための再熱手段（HEX7）を備え、該再熱手段（HEX7）で加熱された搬送用冷媒を膨張機構（EV）で減圧した後に利用側熱交換器（HEX1）へ供給するように構成され、
上記熱源（10）は、熱源側冷媒が循環して蒸気圧縮式冷凍サイクルを行う熱源回路（10）によって構成され、
上記再熱手段（HEX7）は、熱搬送回路（20）の搬送用冷媒を上記熱源回路（10）の高圧の熱源側冷媒と熱交換させる再熱熱交換器（HEX7）により構成され、
上記熱源回路（10）は、ヒートポンプサイクルを行って熱搬送回路（20）の搬送用冷媒に温熱を付与する温熱源を兼ねるように構成され、
上記熱搬送回路（20）は、搬送手段（30）から流出した冷媒が膨張機構（EV）を通過後に利用側熱交換器（HEX1）へ送られると共に主熱交換器（HEX2）を通過した冷媒が搬送手段（30）へ流入する状態と、搬送手段（30）から流出した冷媒が主熱交換器（HEX2）へ送られると共に利用側熱交換器（HEX1）と膨張機構（EV）を順に通過した冷媒が搬送手段（30）へ流入する状態とを切り換えるための四路切換弁（23）を備え、
上記熱搬送回路（20）では、主熱交換器（HEX2）から利用側熱交換器（HEX1）へ冷熱を搬送する冷熱搬送動作と、該冷熱搬送動作時とは搬送用冷媒の循環方向を反転させて主熱交換器（HEX2）から利用側熱交換器（HEX1）へ温熱を搬送する温熱搬送動作とが、四路切換弁（23）によって切り換えられる一方、
上記再熱熱交換器（HEX7）は、熱搬送回路（20）における四路切換弁（23）と膨張機構（EV）の間に接続されており、
上記再熱熱交換器（HEX7）は、熱搬送回路（20）の温熱搬送動作時に、利用側熱交換器（HEX1）からの搬送用冷媒を熱源回路（10）の低圧の熱源側冷媒と熱交換させて、搬送手段（30）へ送られる搬送用冷媒を液相に維持するための液相維持手段を兼ねている冷凍装置。
【請求項２】
請求項１記載の冷凍装置において、
主熱交換器（HEX2）、搬送手段（30）及び再熱手段（HEX7）が設けられた室外ユニット（29）と、
膨張機構（EV）及び利用側熱交換器（HEX1）が設けられた室内ユニット（22）とを備える一方、
再熱手段（HEX7）と膨張機構（EV）の間、及び利用側熱交換器（HEX1）と主熱交換器（HEX2）の間にそれぞれ連絡配管（27,28）を設けて熱搬送回路（20）が構成されている冷凍装置。
【請求項３】
利用側熱交換器（HEX1）及び膨張機構（EV）を有する室内ユニット（22）に対して既設の液側連絡管（27）及びガス側連絡管（28）によって接続される冷凍装置であって、
主熱交換器（HEX2）及び冷媒の搬送手段（30）を有し、搬送手段（30）側が液側連絡管（27）を介し且つ主熱交換器（HEX2）側がガス側連絡管（28）を介して室内ユニット（22）と接続されて主熱交換器（HEX2）と室内ユニット（22）の間で搬送用冷媒を循環させるための熱搬送回路（20）と、
上記主熱交換器（HEX2）に接続されて熱搬送回路（20）の搬送用冷媒に冷熱を付与する熱源（10）と、
上記搬送手段（30）で循環駆動力を付与されて液側連絡管（27）へ送られる搬送用冷媒を所定温度にまで加熱するための再熱手段（HEX7）とを備え、
上記熱源（10）は、熱源側冷媒が循環して蒸気圧縮式冷凍サイクルを行う熱源回路（10）によって構成され、
上記再熱手段（HEX7）は、熱搬送回路（20）の搬送用冷媒を上記熱源回路（10）の高圧の熱源側冷媒と熱交換させる再熱熱交換器（HEX7）により構成され、
上記熱源回路（10）は、ヒートポンプサイクルを行って熱搬送回路（20）の搬送用冷媒に温熱を付与する温熱源を兼ねるように構成され、
上記熱搬送回路（20）は、搬送手段（30）から液側連絡管（27）へ冷媒が送られると共に主熱交換器（HEX2）から搬送手段（30）へ冷媒が流入する状態と、搬送手段（30）から主熱交換器（HEX2）へ冷媒が送られると共に液側連絡管（27）から搬送手段（30）へ流入する状態とを切り換えるための四路切換弁（23）を備え、
上記熱搬送回路（20）は、主熱交換器（HEX2）から利用側熱交換器（HEX1）へ冷熱を搬送する冷熱搬送動作と、該冷熱搬送動作時とは搬送用冷媒の循環方向を反転させて主熱交換器（HEX2）から利用側熱交換器（HEX1）へ温熱を搬送する温熱搬送動作とが、四路切換弁（23）によって切り換えられる一方、
上記再熱熱交換器（HEX7）は、熱搬送回路（20）における四路切換弁（23）と液側連絡管（27）の間に接続されており、
上記再熱熱交換器（HEX7）は、熱搬送回路（20）の温熱搬送動作時に、利用側熱交換器（HEX1）からの搬送用冷媒を熱源回路（10）の低圧の熱源側冷媒と熱交換させて、搬送手段（30）へ送られる搬送用冷媒を液相に維持するための液相維持手段を兼ねている冷凍装置。
【請求項４】
請求項１，２又は３記載の冷凍装置において、
搬送手段（30）は、
熱搬送回路（20）に接続して搬送用冷媒を貯留するための一対のタンク（T1,T2）と、
蒸発させたガス冷媒を上記タンク（T1）に供給して該タンク（T1）を加圧するための高圧部（HEX3）と、
上記タンク（T2）から吸引したガス冷媒を凝縮させて該タンク（T2）を減圧するための低圧部（HEX4）とを備え、
一方のタンク（T1）を加圧して該タンク（T1）から搬送用冷媒を押し出すと同時に、他方のタンク（T2）を減圧して該タンク（T2）に搬送用冷媒を回収する動作を行って搬送用冷媒に循環駆動力を付与するように構成されている冷凍装置。
【請求項５】
請求項１，２，３又は４記載の冷凍装置において、
熱源回路（10）の熱源側冷媒は、非共沸混合冷媒である冷凍装置。
【発明の詳細な説明】
【０００１】
【発明の属する技術分野】
本発明は、冷凍装置に関し、特に、冷媒を循環させて熱源側の冷熱を利用側へ搬送して利用する冷凍装置に係るものである。
【０００２】
【従来の技術】
従来より、冷凍装置としては、冷媒が循環する閉回路を備え、冷熱源の冷熱を循環する冷媒に付与して利用側へ搬送する冷凍装置が知られている。例えば、特開平１１−２８１１７４号公報には、この種の冷凍装置を空調機に適用したものが開示されている。
【０００３】
上記公報に開示されている冷凍装置は、共に冷媒が循環する１次側回路と２次側回路を備えている。１次側回路では、冷媒が循環して蒸気圧縮式冷凍サイクルを行う。１次側回路の１次側冷媒は、主熱交換器で２次側回路の２次側冷媒から吸熱して蒸発する一方、２次側回路の２次側冷媒は、主熱交換器で１次側回路の１次側冷媒に放熱して凝縮する。即ち、主熱交換器では、１次側回路の冷熱が２次側冷媒に付与される。
【０００４】
２次側回路は、主熱交換器で付与された冷熱を、２次側冷媒の循環によって利用側の室内熱交換器へ搬送する。具体的に、主熱交換器で凝縮した２次側冷媒は、室内熱交換器へ送られる。室内熱交換器では、２次側冷媒が対象物から吸熱して蒸発し、これによって対象物を冷却する。蒸発した２次側冷媒は、主熱交換器へ送られて再び凝縮し、この循環を繰り返す。
【０００５】
その際、上記冷凍装置の２次側回路では、いわゆる熱駆動ポンプによって冷媒を循環させている。つまり、液冷媒を貯留するための一対のタンクを設け、一方のタンクから液冷媒を押し出すと同時に、他方のタンクへ液冷媒を回収し、この動作によって２次側冷媒に循環駆動力を付与している。
【０００６】
【発明が解決しようとする課題】
しかしながら、上記冷凍装置では、熱源側の主熱交換器から利用側の室内熱交換器へ液冷媒を送る際には、配管内に低温の液冷媒を流通させることとなるため、配管が低温となってその表面で結露が生じるという問題があった。
【０００７】
例えば、上記冷凍装置を空調機とした場合、室内熱交換器は室内機ユニットに設けられる一方、主熱交換器や１次側回路は室外ユニットに設けられるのが通常である。従って、室外の主熱交換器と室内の室内熱交換器の間を、比較的長い連絡配管で接続しなければならない。例えば、ビルディングに設置する場合、屋上に設けた室外ユニットから各階の室内ユニットに亘って連絡配管を設けることが多い。このため、連絡配管内を低温の液冷媒が流れて配管表面で結露が生じると、場合によっては室内への水漏れ等のトラブルの要因となる。
【０００８】
上記の問題に対しては、連絡配管に断熱材を巻き付ける等、連絡配管に防熱を施すという対策が考えられる。しかしながら、これでは設置工事の工数が増大し、コストの上昇を招くという問題が生じる。
【０００９】
また、空調機を更新する場合、建物に既設の冷媒配管を利用して上記冷凍装置で構成された空調機を設置することがある。このような場合、既設の配管に防熱が施されていないこともあり、改めて防熱を施すこととすると設置工事が複雑化し、これに要する費用も増大する。また、既に敷設された配管に対しては、後から防熱を施すことが困難な場合も多い。従って、この場合には連絡配管への防熱という対策をとることができず、上述の結露の問題を回避できないという問題があった。
【００１０】
本発明は、かかる点に鑑みてなされたものであり、その目的とするところは、配管への防熱を行うことなく結露の問題を回避し、更には更新需要にも対応可能な冷凍装置を提供することにある。
【００１１】
【課題を解決するための手段】
本発明が講じた第１の解決手段は、主熱交換器（HEX2）、冷媒の搬送手段（30）、膨張機構（EV）及び利用側熱交換器（HEX1）が配管接続されて搬送用冷媒を循環させる熱搬送回路（20）と、上記主熱交換器（HEX2）に接続されて上記熱搬送回路（20）の搬送用冷媒に冷熱を付与する熱源（10）とを備える冷凍装置を対象としている。そして、上記熱搬送回路（20）は、搬送手段（30）で循環駆動力を付与されて膨張機構（EV）へ送られる液相の搬送用冷媒を所定温度にまで加熱するための再熱手段（HEX7）を備え、該再熱手段（HEX7）で加熱された搬送用冷媒を膨張機構（EV）で減圧した後に利用側熱交換器（HEX1）へ供給するものである。
【００１２】
また、この第１の解決手段において、上記熱源（10）は、熱源側冷媒が循環して蒸気圧縮式冷凍サイクルを行う熱源回路（10）によって構成され、上記再熱手段（HEX7）は、熱搬送回路（20）の搬送用冷媒を上記熱源回路（10）の高圧の熱源側冷媒と熱交換させる再熱熱交換器（HEX7）により構成され、上記熱源回路（10）は、ヒートポンプサイクルを行って熱搬送回路（20）の搬送用冷媒に温熱を付与する温熱源を兼ねるように構成され、上記熱搬送回路（20）は、搬送手段（30）から流出した冷媒が膨張機構（EV）を通過後に利用側熱交換器（HEX1）へ送られると共に主熱交換器（HEX2）を通過した冷媒が搬送手段（30）へ流入する状態と、搬送手段（30）から流出した冷媒が主熱交換器（HEX2）へ送られると共に利用側熱交換器（HEX1）と膨張機構（EV）を順に通過した冷媒が搬送手段（30）へ流入する状態とを切り換えるための四路切換弁（23）を備え、上記熱搬送回路（20）では、主熱交換器（HEX2）から利用側熱交換器（HEX1）へ冷熱を搬送する冷熱搬送動作と、該冷熱搬送動作時とは搬送用冷媒の循環方向を反転させて主熱交換器（HEX2）から利用側熱交換器（HEX1）へ温熱を搬送する温熱搬送動作とが、四路切換弁（23）によって切り換えられる一方、上記再熱熱交換器（HEX7）は、熱搬送回路（20）における四路切換弁（23）と膨張機構（EV）の間に接続されており、上記再熱熱交換器（HEX7）は、熱搬送回路（20）の温熱搬送動作時に、利用側熱交換器（HEX1）からの搬送用冷媒を熱源回路（10）の低圧の熱源側冷媒と熱交換させて、搬送手段（30）へ送られる搬送用冷媒を液相に維持するための液相維持手段を兼ねている。
【００１３】
本発明が講じた第２の解決手段は、上記第１の解決手段において、主熱交換器（HEX2）、搬送手段（30）及び再熱手段（HEX7）が設けられた室外ユニット（29）と、膨張機構（EV）及び利用側熱交換器（HEX1）が設けられた室内ユニット（22）とを備える一方、再熱手段（HEX7）と膨張機構（EV）の間、及び利用側熱交換器（HEX1）と主熱交換器（HEX2）の間にそれぞれ連絡配管（27,28）を設けて熱搬送回路（20）が構成されるものである。
【００１４】
本発明が講じた第３の解決手段は、利用側熱交換器（HEX1）及び膨張機構（EV）を有する室内ユニット（22）に対して既設の液側連絡管（27）及びガス側連絡管（28）によって接続される冷凍装置を対象とする。そして、主熱交換器（HEX2）及び冷媒の搬送手段（30）を有し、搬送手段（30）側が液側連絡管（27）を介し且つ主熱交換器（HEX2）側がガス側連絡管（28）を介して室内ユニット（22）と接続されて主熱交換器（HEX2）と室内ユニット（22）の間で搬送用冷媒を循環させるための熱搬送回路（20）と、上記主熱交換器（HEX2）に接続されて熱搬送回路（20）の搬送用冷媒に冷熱を付与する熱源（10）と、上記搬送手段（30）で循環駆動力を付与されて液側連絡管（27）へ送られる搬送用冷媒を所定温度にまで加熱するための再熱手段（HEX7）とを備えるものである。
【００１５】
また、この第３の解決手段において、上記熱源（10）は、熱源側冷媒が循環して蒸気圧縮式冷凍サイクルを行う熱源回路（10）によって構成され、上記再熱手段（HEX7）は、熱搬送回路（20）の搬送用冷媒を上記熱源回路（10）の高圧の熱源側冷媒と熱交換させる再熱熱交換器（HEX7）により構成され、上記熱源回路（10）は、ヒートポンプサイクルを行って熱搬送回路（20）の搬送用冷媒に温熱を付与する温熱源を兼ねるように構成され、上記熱搬送回路（20）は、搬送手段（30）から液側連絡管（27）へ冷媒が送られると共に主熱交換器（HEX2）から搬送手段（30）へ冷媒が流入する状態と、搬送手段（30）から主熱交換器（HEX2）へ冷媒が送られると共に液側連絡管（27）から搬送手段（30）へ流入する状態とを切り換えるための四路切換弁（23）を備え、上記熱搬送回路（20）は、主熱交換器（HEX2）から利用側熱交換器（HEX1）へ冷熱を搬送する冷熱搬送動作と、該冷熱搬送動作時とは搬送用冷媒の循環方向を反転させて主熱交換器（HEX2）から利用側熱交換器（HEX1）へ温熱を搬送する温熱搬送動作とが、四路切換弁（23）によって切り換えられる一方、上記再熱熱交換器（HEX7）は、熱搬送回路（20）における四路切換弁（23）と液側連絡管（27）の間に接続されており、上記再熱熱交換器（HEX7）は、熱搬送回路（20）の温熱搬送動作時に、利用側熱交換器（HEX1）からの搬送用冷媒を熱源回路（10）の低圧の熱源側冷媒と熱交換させて、搬送手段（30）へ送られる搬送用冷媒を液相に維持するための液相維持手段を兼ねている。
【００１６】
本発明が講じた第４の解決手段は、上記第１，第２又は第３の解決手段において、搬送手段（30）は、熱搬送回路（20）に接続して搬送用冷媒を貯留するための一対のタンク（T1,T2）と、蒸発させたガス冷媒を上記タンク（T1）に供給して該タンク（T1）を加圧するための高圧部（HEX3）と、上記タンク（T2）から吸引したガス冷媒を凝縮させて該タンク（T2）を減圧するための低圧部（HEX4）とを備え、一方のタンク（T1）を加圧して該タンク（T1）から搬送用冷媒を押し出すと同時に、他方のタンク（T2）を減圧して該タンク（T2）に搬送用冷媒を回収する動作を行って搬送用冷媒に循環駆動力を付与するように構成されるものである。
【００１７】
本発明が講じた第５の解決手段は、上記第１〜第４の何れか１つの解決手段において、熱源回路（10）の熱源側冷媒を非共沸混合冷媒とするものである。
【００１８】
−作用−
上記第１の解決手段では、熱搬送回路（20）が、主熱交換器（HEX2）、冷媒の搬送手段（30）、膨張機構（EV）及び利用側熱交換器（HEX1）を配管接続して構成される。この熱搬送回路（20）には搬送用冷媒が充填され、この搬送用冷媒が熱搬送回路（20）内を循環する。熱源（10）は、主熱交換器（HEX2）において搬送用冷媒に冷熱を付与する。つまり、主熱交換器（HEX2）では、熱源（10）が搬送用冷媒から吸熱し、搬送用冷媒が放熱して凝縮する。凝縮して液相となった搬送用冷媒は、搬送手段（30）によって循環駆動力を付与され、膨張機構（EV）で減圧された後に利用側熱交換器（HEX1）へ導入される。
【００１９】
その際、搬送手段（30）からの搬送用冷媒は、再熱手段（HEX7）により加熱されて所定温度とされた後に、膨張機構（EV）へと送られる。例えば、再熱手段（HEX7）において、外気の露点温度とほぼ同等あるいは露点温度よりもやや高い温度にまで搬送用冷媒を加熱する。そして、再熱手段（HEX7）から膨張機構（EV）へ至る配管内では、加熱された所定温度の搬送用冷媒が流通する。
【００２０】
利用側熱交換器（HEX1）では、減圧後の搬送用冷媒が対象物から吸熱して蒸発する。これによって、対象物の冷却が行われる。蒸発した搬送用冷媒は、主熱交換器（HEX2）へ送られて再び凝縮する。熱搬送回路（20）では、搬送用冷媒がこの循環を繰り返し、熱源（10）の冷熱を利用側熱交換器（HEX1）へ搬送して対象物の冷却を行う。
【００２１】
上記第２の解決手段では、室外ユニット（29）と室内ユニット（22）とが設けられる。室外ユニット（29）には、熱搬送回路（20）の主熱交換器（HEX2）と搬送手段（30）と再熱手段（HEX7）とが設置される。室内ユニット（22）には、熱搬送回路（20）の膨張機構（EV）と利用側熱交換器（HEX1）とが設置される。室外ユニット（29）と室内ユニット（22）の間は、一対の連絡配管（27,28）によって接続されている。具体的に、室外ユニット（29）の再熱手段（HEX7）と室内ユニット（22）の膨張機構（EV）とが、一方の連絡配管（27）を介して接続される。また、室内ユニット（22）の利用側熱交換器（HEX1）と室外ユニット（29）の主熱交換器（HEX2）とが、他方の連絡配管（28）を介して接続される。
【００２２】
上記第３の解決手段では、熱搬送回路（20）と熱源（10）と再熱手段（HEX7）とが、冷凍装置に設けられる。この冷凍装置は、建物等に既設の液側連絡管（27）及びガス側連絡管（28）を介して、室内ユニット（22）に接続される。尚、室内ユニット（22）は、既設のものであっても新設のものであってもよい。
【００２３】
上記熱搬送回路（20）には、主熱交換器（HEX2）と冷媒の搬送手段（30）とが設けられる。この熱搬送回路（20）は、搬送手段（30）側が液側連絡管（27）を介して室内ユニット（22）に接続され、主熱交換器（HEX2）側がガス側連絡管（28）を介して室内ユニット（22）に接続される。そして、熱搬送回路（20）、液側連絡管（27）、室内ユニット（22）及びガス側連絡管（28）によって閉回路が構成され、この閉回路内を搬送用冷媒が循環する。
【００２４】
熱源（10）は、主熱交換器（HEX2）において搬送用冷媒に冷熱を付与する。つまり、主熱交換器（HEX2）では、熱源（10）が搬送用冷媒から吸熱し、搬送用冷媒が放熱して凝縮する。凝縮して液相となった搬送用冷媒は、搬送手段（30）によって循環駆動力を付与されて液側連絡管（27）へと送り込まれる。
【００２５】
その際、搬送手段（30）からの搬送用冷媒は、再熱手段（HEX7）により加熱されて所定温度とされた後に、液側連絡管（27）へと導入される。例えば、再熱手段（HEX7）において、外気の露点温度とほぼ同等あるいは露点温度よりもやや高い温度にまで搬送用冷媒を加熱する。そして、再熱手段（HEX7）から室内ユニット（22）へ至る液側連絡管（27）内では、加熱により所定温度となった搬送用冷媒が流通する。
【００２６】
室内ユニット（22）では、液側連絡管（27）を通じて供給された搬送用冷媒が膨張機構（EV）で減圧され、その後に利用側熱交換器（HEX1）へ導入される。利用側熱交換器（HEX1）では、減圧後の搬送用冷媒が対象物から吸熱して蒸発する。これによって、対象物の冷却が行われる。蒸発した搬送用冷媒は、ガス側連絡管（28）を通じて主熱交換器（HEX2）へ送られて再び凝縮する。
【００２７】
上記第４の解決手段では、一般的な機械式のポンプではなく、いわゆる熱駆動式のポンプによって搬送手段（30）が構成される。具体的に、一対のタンク（T1,T2）を設け、各タンク（T1,T2）を熱搬送回路（20）に接続する。先ず、一方のタンク（T1）を高圧部（HEX3）と連通させ、高圧部（HEX3）の高圧のガス冷媒を導入してタンク（T1）を加圧する。これと同時に、他方のタンク（T2）を低圧部（HEX4）と連通させ、低圧部（HEX4）へガス冷媒を吸引してタンク（T2）を減圧する。そして、一方のタンク（T1）に貯留する搬送用冷媒が熱搬送回路（20）に押し出されると共に、熱搬送回路（20）からの搬送用冷媒が他方のタンク（T2）に回収される。
【００２８】
続いて、これとは逆に、一方のタンク（T1）を低圧部（HEX4）と連通させて減圧すると同時に、他方のタンク（T2）を高圧部（HEX3）と連通させて加圧する。これによって、他方のタンク（T2）に回収された搬送用冷媒が再び熱搬送回路（20）に押し出されると共に、一方のタンク（T1）に熱搬送回路（20）から搬送用冷媒が回収される。本解決手段の搬送手段（30）は、以上の動作を交互に行うことによって、熱搬送回路（20）の搬送用冷媒に循環駆動力を付与する。
【００２９】
上記第１及び第３の各解決手段では、熱源（10）が熱源回路（10）によって構成される。熱源回路（10）では、熱源側冷媒が循環して、蒸気圧縮式冷凍サイクルが行われる。具体的に、熱源回路（10）では、熱源側冷媒が圧縮、凝縮、膨張、蒸発のサイクルを繰り返し、冷熱が生成される。その際、熱源側冷媒は、主熱交換器（HEX2）において熱搬送回路（20）の搬送用冷媒から吸熱して蒸発する。
【００３０】
また、再熱手段（HEX7）が再熱熱交換器（HEX7）によって構成される。再熱熱交換器（HEX7）は、熱搬送回路（20）と熱源回路（10）の両方に接続される。この再熱熱交換器（HEX7）では、主熱交換器（HEX2）で放熱した搬送用冷媒と、熱源回路（10）における高圧の熱源側冷媒とが熱交換を行う。再熱熱交換器（HEX7）での熱交換によって、搬送用冷媒が加熱されて所定温度となる。
【００３１】
上記第５の解決手段では、熱源回路（10）の熱源側冷媒として、非共沸混合冷媒を用いる。この非共沸混合冷媒は、沸点が異なる複数の冷媒を混合したものであって、例えばＲ４０７Ｃがこれに該当する。
【００３２】
上記第１及び第３の各解決手段では、熱源回路（10）が冷凍サイクルとヒートポンプサイクルとを切り換えて行い、熱搬送回路（20）が冷熱搬送動作と温熱搬送動作とを切り換えて行う。また、熱搬送回路（20）は、冷熱搬送動作時と温熱搬送動作時とで冷媒の循環方向を切り換える。即ち、搬送用冷媒は、主熱交換器（HEX2）で温熱を付与されて蒸発し、その後に利用側熱交換器（HEX1）へ送られる。利用側熱交換器（HEX1）では、搬送用冷媒が放熱して凝縮し、これによって対象物を加熱する。凝縮した搬送用冷媒は、搬送手段（30）へと流れ、循環駆動力を付与されて主熱交換器（HEX2）へ再び送られる。
【００３３】
利用側熱交換器（HEX1）から搬送手段（30）へ流れる際に、搬送用冷媒は再熱熱交換器（HEX7）を通過する。熱搬送回路（20）の温熱搬送動作時において、再熱熱交換器（HEX7）は、熱源回路（10）の低圧の熱源側冷媒が供給され、液相維持手段として機能する。即ち、再熱熱交換器（HEX7）では、利用側熱交換器（HEX1）からの搬送用冷媒が熱源回路（10）の熱源側冷媒と熱交換し、搬送用冷媒が冷却されて過冷却状態となる。このため、搬送手段（30）へ流れる搬送用冷媒は、常に液相に維持されてフラッシュすることはない。
【００３４】
【発明の効果】
本発明では、再熱手段（HEX7）を設け、主熱交換器（HEX2）において冷熱を付与された搬送用冷媒を所定温度にまで加熱し、この所定温度となった搬送用冷媒を再熱手段（HEX7）から膨張機構（EV）に至る配管に流通させるようにしている。具体的に、第２の解決手段では、室外ユニット（29）の再熱手段（HEX7）から室内ユニット（22）の膨張機構（EV）に至る連絡配管（27）内を加熱後の搬送用冷媒が流れる。また、第３の解決手段では、室外ユニット（29）の再熱手段（HEX7）から室内ユニット（22）に至る液側連絡管（27）内を加熱後の搬送用冷媒が流れる。
【００３５】
従って、従来の再熱手段（HEX7）を有しないものに比べ、上記の連絡配管（27）や液側連絡管（27）を流れる搬送用冷媒の温度を高くすることができる。このため、連絡配管（27）や液側連絡管（27）の配管の温度を、配管の周囲における空気の露点温度よりも高くすることが可能となり、配管の表面における結露を確実に防止することができる。この結果、上記配管への防熱をすることなく結露の問題を回避することができる。更には、防熱の施されていない既設の配管を利用して冷凍装置を設置する場合であっても、結露の問題を回避して水漏れ等のトラブルを未然に防止することができ、更新需要にも充分に対応することが可能となる。
【００３６】
また、上記第４の解決手段によれば、一般的な機械式のポンプを用いずに搬送手段（30）を構成することができる。このため、機械式ポンプで問題となる軸受の潤滑不良による焼き付きや冷媒シールの不良による冷媒漏れ等のトラブルを回避しつつ、熱搬送回路（20）において搬送用冷媒を確実に循環させることが可能となる。
【００３７】
また、本発明では、再熱手段（HEX7）を再熱熱交換器（HEX7）で構成し、熱源回路（10）の熱源側冷媒との熱交換によって搬送用冷媒の加熱を行っている。このため、再熱手段（HEX7）における搬送用冷媒の加熱を、新たにエネルギを投入することなく行うことができる。以下、この点について、図８を参照しながら説明する。図８は、冷媒のモリエル線図（圧力−エンタルピ線図）上で、熱源回路（10）及び熱搬送回路（20）におけるサイクルを示したものである。
【００３８】
熱源回路（10）におけるサイクルは、点Ａ，Ｂ，Ｃ，Ｄを順に結んだ線で示される。具体的に、点Ａの冷媒は、圧縮されて点Ｂの状態となる。点Ｂの冷媒は、凝縮し更に過冷却されて点Ｃの状態となる。点Ｃの冷媒は、減圧されて点Ｄの状態となる。点Ｄの冷媒は、蒸発し更に過熱されて点Ａの状態に戻る。
【００３９】
一方、熱搬送回路（20）におけるサイクルは、点ａ，ｂ，ｃ，ｄ，ｅ，ｆを順に結んだ線で示される。具体的に、点ａの冷媒は、主熱交換器（HEX2）で凝縮し更に過冷却されて点ｂの状態となる。点ｂの冷媒は、搬送手段（30）で循環駆動力を付与され、圧力が上昇して点ｃの状態となる。点ｃの冷媒は、再熱手段（HEX7）で過熱されて点ｄの状態となる。点ｄの冷媒は、膨張機構（EV）で減圧されて点ｅの状態となる。点ｅの冷媒は、利用側熱交換器（HEX1）で蒸発し更に過熱されて点ｆの状態となる。点ｆの冷媒は、主熱交換器（HEX2）へ至るまでにやや圧力を低下させて点ａの状態に戻る。
【００４０】
再熱熱交換器（HEX7）では、搬送用冷媒に対して所定の熱量を与える。この熱量は、点ｄ，ｃのエンタルピ差Δh2に搬送用冷媒の循環量Ｇr2を乗じた値、即ち（Δh2×Ｇr2）となる。また、利用側熱交換器（HEX1）での吸熱量（点ｆ，ｅのエンタルピ差に搬送用冷媒の循環量Ｇr2を乗じた値）を維持するためには、主熱交換器（HEX2）において搬送用冷媒から余分に放熱させる必要がある。この余分に放熱させる熱量は、点ｂ'，ｂのエンタルピ差Δh2に搬送用冷媒の循環量Ｇr2を乗じた値、即ち（Δh2×Ｇr2）となる。
【００４１】
ところが、再熱熱交換器（HEX7）では、搬送用冷媒を熱源側冷媒と熱交換させている。このため、熱源側冷媒からの放熱量は、搬送用冷媒の吸熱量（Δh2×Ｇr2）だけ増加し、熱源側冷媒のエンタルピが点Ｃ'から点Ｃにまで低下する。この放熱量の増加分は、点Ｃ'，Ｃのエンタルピ差Δh1に熱源側冷媒の循環量Ｇr1を乗じた値、即ち（Δh1×Ｇr1）となる。そして、（Δh1×Ｇr1）＝（Δh2×Ｇr2）の関係が成立する。
【００４２】
このため、主熱交換器（HEX2）において熱源側冷媒が搬送用冷媒から吸熱する熱量は、点Ｄ，Ｄ'のエンタルピ差であるΔh1に熱源側冷媒の循環量Ｇr1を乗じた値、即ち（Δh1×Ｇr1）だけ増加する。従って、熱源回路（10）における熱源側冷媒の圧縮に要するエネルギ、即ち点Ｂ，Ａのエンタルピ差に熱源側冷媒の循環量Ｇr1を乗じた値を何ら増大させることなく、再熱熱交換器（HEX7）における搬送用冷媒の加熱が可能となる。
【００４３】
上述のように、本発明では、再熱熱交換器（HEX7）において搬送用冷媒を加熱するために、新たなエネルギは不要である。従って、別途エネルギを投入することなく、再熱熱交換器（HEX7）から膨張機構（EV）に至る配管における内部の搬送用冷媒と外部の空気との温度差を縮小できる。この結果、この配管内を流れる間の熱侵入によるロスを削減でき、エネルギ効率の向上を図ることが可能となる。
【００４４】
上記第５の解決手段では、熱源回路（10）の熱源側冷媒として非共沸混合冷媒が用いられ、この熱源側冷媒が再熱熱交換器（HEX7）へ送られて搬送用冷媒の加熱に用いられる。このため、主熱交換器（HEX2）へ導入される際の熱源側冷媒の温度を低下させることができ、これによって冷却能力の向上を図ることができる。
【００４５】
以下、この点について、図９を参照しながら説明する。図９は、図８と同様に、冷媒のモリエル線図（圧力−エンタルピ線図）上で、熱源回路（10）及び熱搬送回路（20）におけるサイクルを示したものであって、サイクルを示す各点は図８のものと対応している。ただし、図９では、熱搬送回路（20）におけるサイクルの一部だけを示している。
【００４６】
本解決手段では、再熱熱交換器（HEX7）において熱源側冷媒を搬送用冷媒と熱交換させているため、上述のように、高圧の熱源側冷媒の放熱量が増大する。従って、減圧前の高圧の熱源側冷媒について、再熱熱交換器（HEX7）での熱交換を行わない場合には点Ｃ'の状態であるのに対し、本解決手段では、更にエンタルピが低下して点Ｃの状態となる。これに伴って、減圧後における熱源側冷媒は、点Ｄ'の状態よりもエンタルピの低い点Ｄの状態となる。
【００４７】
ここで、非共沸混合冷媒は、同一圧力下で相変化する場合であっても温度変化を生じるという特質がある。例えば、蒸発する場合、低沸点成分から先に蒸発するため、蒸発温度が徐々に上昇する。このため、モリエル線図上の等温線は、図９に一点鎖線で示すように、等圧線に対して右下がりに傾いたものとなる。従って、減圧後の熱源冷媒の状態が点Ｄ'から点Ｄに移ると、これに伴って温度がｔ1からｔ2へと低下する。
【００４８】
減圧後における熱源側冷媒の温度が低下すると、主熱交換器（HEX2）へ流入する熱源側冷媒の温度が低下する。このため、主熱交換器（HEX2）における熱源側冷媒と搬送用冷媒の温度差を拡大することができ、主熱交換器（HEX2）から流出する搬送用冷媒の温度及び圧力を低下させることが可能となる。この結果、利用側熱交換器（HEX1）における搬送用冷媒の蒸発温度及び蒸発圧力を下げることができ、これによって冷却能力の増大を図ることができる。
【００４９】
また、本発明では、熱搬送回路（20）で温熱の搬送も行う場合において、利用側熱交換器（HEX1）から搬送手段（30）へ流れる搬送用冷媒を、液相維持手段としての再熱熱交換器（HEX7）で冷却するようにしている。このため、搬送手段（30）へ流入する搬送用冷媒のフラッシュを防いで確実に液相に維持することができ、搬送手段（30）において搬送用冷媒に確実に循環駆動力を付与することが可能となる。また、冷熱搬送動作時に再熱手段（HEX7）として機能する再熱熱交換器（HEX7）を、温熱搬送動作時には液相維持手段として機能させるようにしている。このため、液相維持手段として別途に構成を付加する必要がなく、構成を複雑化させることなく上記の効果を得ることができる。
【００５０】
【発明の実施の形態】
以下、本発明の実施形態を図面に基づいて詳細に説明する。
【００５１】
《参考技術１》
参考技術１について説明する。
【００５２】
〈空調機の全体構成〉
図１に示すように、本参考技術１の空調機は、一つの室外ユニット（29）に複数の室内ユニット（22）を接続した、いわゆるマルチ型に構成されている。室外ユニット（29）と各室内ユニット（22）とは、液側連絡管（27）及びガス側連絡管（28）からなる一対の連絡配管によって接続されている。
【００５３】
ここで、上記空調機をビルディング等に設置する際には、既設の連絡配管（27,28）を流用してもよい。即ち、ビルディング等に既に設置されている空調機を本参考技術１の空調機に更新する場合、既設の空調機のうち連絡配管（27,28）だけを残して取り外した後に、本参考技術１に係る室外ユニット（29）及び室内ユニット（22）を既設の連絡配管（27,28）に接続して、本参考技術１の空調機を構成することも可能である。更に、室内ユニット（22）についても、既設のものを流用することが可能である。
【００５４】
上記空調機には、１次側回路（10）と、２次側回路（20）とが設けられている。また、２次側回路（20）には、ポンプ回路（30）が設けられている。１次側回路（10）及びポンプ回路（30）は、室外ユニット（29）に収納されている。一方、２次側回路（20）は、室外ユニット（29）から室内ユニット（22）に亘って設けられている。
【００５５】
上記１次側回路（10）は、１次側圧縮機（11）等を備える閉回路であって、冷媒が循環して蒸気圧縮式冷凍サイクルを行うように構成されている。また、１次側回路（10）は、ポンプ回路（30）を駆動するための動作も行うように構成されている。この１次側回路（10）については、後述する。
【００５６】
〈２次側回路の構成〉
上記２次側回路（20）は、熱搬送回路を構成している。この２次側回路（20）は、２次側四路切換弁（23）と、再熱手段（HEX7）である再熱熱交換器（HEX7）と、膨張機構である室内膨張弁（EV）と、利用側熱交換器である室内熱交換器（HEX1）と、主熱交換器（HEX2）とを順に配管接続して構成されている。２次側回路（20）のうち、２次側四路切換弁（23）と、再熱熱交換器（HEX7）と、主熱交換器（HEX2）とは、室外ユニット（29）に収納されている。一方、室内膨張弁（EV）と、室内熱交換器（HEX1）とは、複数の室内ユニット（22）に一つずつ収納されている。
【００５７】
２次側四路切換弁（23）と室内膨張弁（EV）の間には主液配管（25）が設けられ、この主液配管（25）の途中に再熱熱交換器（HEX7）が設けられている。主液配管（25）は、一端が２次側四路切換弁（23）の第１のポートに接続され、他端が分岐して各室内膨張弁（EV）に接続されている。また、主液配管（25）のうち、室外ユニット（29）から各室内ユニット（22）に亘る部分は、液側連絡管（27）を構成している。
【００５８】
室内熱交換器（HEX1）と主熱交換器（HEX2）の間には、主ガス配管（24）が設けられている。主ガス配管（24）は、一端が分岐して各室内熱交換器（HEX1）に接続され、他端が主熱交換器（HEX2）の上端部に接続されている。また、主ガス配管（24）のうち、各室内ユニット（22）から室外ユニット（29）に亘る部分は、ガス側連絡管（28）を構成している。
【００５９】
主熱交換器（HEX2）と２次側四路切換弁（23）の間には主液配管（26）が設けられている。主液配管（26）は、一端が主熱交換器（HEX2）の下端部に接続され、他端が２次側四路切換弁（23）の第２のポートに接続されている。
【００６０】
上記２次側回路（20）には、Ｒ２２が２次側冷媒として充填されている。２次側回路（20）では、搬送用冷媒である２次側冷媒が循環しつつ相変化し、主熱交換器（HEX2）から室内熱交換器（HEX1）へ冷熱又は温熱を搬送する。
【００６１】
〈ポンプ回路の構成〉
上記ポンプ回路（30）は、いわゆる熱駆動ポンプからなる搬送手段を構成している。このポンプ回路（30）は、高圧部である加熱熱交換器（HEX3）と、低圧部である冷却熱交換器（HEX4）と、第１メインタンク（T1）と、第２メインタンク（T2）とを備えている。このポンプ回路（30）は、２次側回路（20）に接続された両メインタンク（T1,T2）を、加熱熱交換器（HEX3）と冷却熱交換器（HEX4）とに交互に連通させてタンク内を加減圧し、これによって２次側回路（20）の２次側冷媒に循環駆動力を付与するように構成されている。また、ポンプ回路（30）は、液相維持手段であるタンク前熱交換器（HEX5）と、サブタンク（ST）と、バッファタンク（BT）とを備えている。
【００６２】
上記第１メインタンク（T1）と第２メインタンク（T2）には、回収用液配管（38）と押出し用液配管（37）とが、それぞれ接続されている。
【００６３】
上記押出し用液配管（37）は、一端が３本の分岐管（37a,37b,37c）に分岐され、他端が２次側四路切換弁（23）の第３のポートに接続されている。押出し用液配管（37）の分岐管（37a,37b,37c）は、第１，第２メインタンク（T1,T2）、サブタンク（ST）の下端部に接続している。これら分岐管（37a〜37c）のうち、第１，第２メインタンク（T1,T2）に接続する分岐管（37a,37b）には、メインタンク（T1,T2）からの冷媒の流出のみを許容する逆止弁（CV-3）が設けられている。また、サブタンク（ST）に接続する分岐管（37c）には、サブタンク（ST）への冷媒の流入のみを許容する逆止弁（CV-4）が設けられている。
【００６４】
上記回収用液配管（38）は、一端が２次側四路切換弁（23）の第４のポートに接続され、他端が２本の分岐管（38a,38b）に分岐されている。回収用液配管（38）の分岐管（38a,38b）は、第１，第２メインタンク（T1,T2）の下端部に接続されている。これら分岐管（38a,38b）には、メインタンク（T1,T2）への冷媒の流入のみを許容する逆止弁（CV-5）が設けられている。また、回収用液配管（38）の途中には、タンク前熱交換器（HEX5）が設けられている。
【００６５】
上記２次側四路切換弁（23）は、押出し用液配管（37）と室内ユニット（22）側の主液配管（25）が連通し且つ回収用液配管（38）と主熱交換器（HEX2）側の主液配管（26）が連通する状態（図１に実線で示す状態）と、押出し用液配管（37）と主熱交換器（HEX2）側の主液配管（26）が連通し且つ回収用液配管（38）と室内ユニット（22）側の主液配管（25）が連通する状態（図１に破線で示す状態）とに切り換わるように構成されている。この２次側四路切換弁（23）を切り換えることによって、２次側回路（20）における２次側冷媒の循環方向が切り換わる。
【００６６】
上記加熱熱交換器（HEX3）は、第１，第２メインタンク（T1,T2）及びサブタンク（ST）を加圧するためのものである。加熱熱交換器（HEX3）は、ガス供給管（31）を介して、第１，第２メインタンク（T1,T2）及びサブタンク（ST）と接続されている。ガス供給管（31）は、一端が加熱熱交換器（HEX3）の上端部に接続され、他端が３本の分岐管（31a,31b,31c）に分岐されている。ガス供給管（31）の分岐管（31a〜31c）は、第１，第２メインタンク（T1,T2）、サブタンク（ST）の上端部に接続されている。これら各分岐管（31a〜31c）には、第１〜第３のタンク加圧電磁弁（SV-P1,SV-P2,SV-P3）が設けられている。
【００６７】
また、加熱熱交換器（HEX3）は、液回収管（34）を介して、サブタンク（ST）と接続されている。液回収管（34）は、一端がサブタンク（ST）の下端部に接続され、他端が加熱熱交換器（HEX3）の下端部に接続されている。この液回収管（34）には、サブタンク（ST）からの冷媒の流出のみを許容する逆止弁（CV-1）と、バッファタンク（BT）とが、サブタンク（ST）から加熱熱交換器（HEX3）に向かって順に設けられている。
【００６８】
加熱熱交換器（HEX3）では、液回収管（34）を通じて供給された液冷媒が蒸発する。加熱熱交換器（HEX3）のガス冷媒は、ガス供給管（31）を通じて第１，第２メインタンク（T1,T2）及びサブタンク（ST）に供給される。これによって、これらタンク（T1,T2,ST）が加圧される。
【００６９】
また、バッファタンク（BT）と加熱熱交換器（HEX3）とは、均圧管（39）により連通されている。この均圧管（39）は、一端が液回収管（34）を介してバッファタンク（BT）の上端部に接続され、他端がガス供給管（31）を介して加熱熱交換器（HEX3）の上端部に接続されている。
【００７０】
上記冷却熱交換器（HEX4）は、第１，第２メインタンク（T1,T2）及びサブタンク（ST）を減圧するためのものである。冷却熱交換器（HEX4）は、ガス回収管（32）を介して、第１，第２メインタンク（T1,T2）及びサブタンク（ST）と接続されている。ガス回収管（32）は、一端が３本の分岐管（32a,32b,32c）に分岐され、他端が冷却熱交換器（HEX4）の上端部に接続されている。ガス回収管（32）の分岐管（32a〜32c）は、第１，第２メインタンク（T1,T2）、サブタンク（ST）の上端部に接続されている。これら分岐管（32a〜32c）には、第１〜第３のタンク減圧電磁弁（SV-V1,SV-V2,SV-V3）が設けられている。
【００７１】
また、冷却熱交換器（HEX4）は、液供給管（33）を介して、第１及び第２メインタンク（T1,T2）と接続されている。液供給管（33）は、一端が冷却熱交換器（HEX4）の下端に接続され、他端が２本の分岐管（33a,33b）に分岐されている。液供給管（33）の分岐管（33a,33b）は、第１，第２メインタンク（T1,T2）の下端部に接続されている。これら分岐管（33a,33b）には、各メインタンク（T1,T2）に向かう冷媒の流通のみを許容する逆止弁（CV-2）が設けられている。
【００７２】
冷却熱交換器（HEX4）は、ガス回収管（32）を通じて第１，第２メインタンク（T1,T2）及びサブタンク（ST）からガス冷媒を吸引し、凝縮させる。これによって、タンク（T1,T2,ST）が減圧される。凝縮した冷媒は、液供給管（33）を通じて第１，第２メインタンク（T1,T2）に戻される。
【００７３】
尚、各メインタンク（T1,T2）は、冷却熱交換器（HEX4）よりも低い位置に設置されている。また、サブタンク（ST）は、加熱熱交換器（HEX3）よりも高い位置に設置されている。また、バッファタンク（BT）は、加熱熱交換器（HEX3）よりも上方で且つサブタンク（ST）よりも下方に配置されている。このバッファタンク（BT）は、運転中及び起動時に加熱熱交換器（HEX3）へ安定して液冷媒を供給するために設けられている。
【００７４】
〈１次側回路の構成〉
上記１次側回路（10）は、熱源回路を構成している。この１次側回路（10）は、メイン回路（15）と、第１〜第７分岐配管（51〜57）とによって構成されている。
【００７５】
上記メイン回路（15）は、１次側圧縮機（11）、１次側四路切換弁（12）、室外熱交換器（HEX6）、レシーバ（13）、加熱熱交換器（HEX3）、再熱熱交換器（HEX7）及び主熱交換器（HEX2）を順に配管接続して構成されている。メイン回路（15）には、Ｒ２２が１次側冷媒として充填されている。このメイン回路（15）では、１次側四路切換弁（12）の切り換えによって熱源側冷媒である１次側冷媒の循環方向が反転し、冷凍サイクル動作とヒートポンプサイクル動作とが切り換えて行われる。
【００７６】
また、メイン回路（15）には、逆止弁や電磁弁等が設けられている。具体的に、室外熱交換器（HEX6）とレシーバ（13）の間には、レシーバ（13）へ向かう冷媒の流通のみを許容する逆止弁（CV-6）が設けられている。レシーバ（13）と加熱熱交換器（HEX3）の間には、加熱熱交換器（HEX3）に向かって順に、第１電磁弁（SV-1）と逆止弁（CV-7）とが設けられている。この逆止弁（CV-7）は、加熱熱交換器（HEX3）へ向かう冷媒の流通のみを許容する。再熱熱交換器（HEX7）と主熱交換器（HEX2）の間には、電動弁（EV-F）と第１膨張弁（EV-1）と逆止弁（CV-8）とが順に設けられている。この逆止弁（CV-8）は、主熱交換器（HEX2）へ向かう冷媒の流通のみを許容する。
【００７７】
第１分岐配管（51）は、一端がメイン回路（15）における電動弁（EV-F）と第１膨張弁（EV-1）との間に接続され、他端がメイン回路（15）における１次側四路切換弁（12）と１次側圧縮機（11）の吸入側との間に接続されている。この第１分岐配管（51）には、一端から他端に向かって順に、第２膨張弁（EV-2）と冷却熱交換器（HEX4）とが設けられている。
【００７８】
第２分岐配管（52）は、一端がメイン回路（15）における加熱熱交換器（HEX3）と再熱熱交換器（HEX7）との間に接続され、他端が第１分岐配管（51）における第２膨張弁（EV-2）よりも一端寄りに接続されている。この第２分岐配管（52）には、第２電磁弁（SV-2）が設けられている。
【００７９】
第３分岐配管（53）は、一端が第１分岐配管（51）における第２分岐配管（52）の接続部と第２膨張弁（EV-2）との間に接続され、他端が第１分岐配管（51）における冷却熱交換器（HEX4）よりも他端寄りに接続されている。この第３分岐配管（53）には、一端から他端に向かって順に、第３膨張弁（EV-3）とタンク前熱交換器（HEX5）とが設けられている。
【００８０】
第４分岐配管（54）は、一端がメイン回路（15）における第１膨張弁（EV-1）と逆止弁（CV-8）との間に接続され、他端がメイン回路（15）における室外熱交換器（HEX6）と逆止弁（CV-6）との間に接続されている。この第４分岐配管（54）には、一端から他端に向かう冷媒の流通のみを許容する逆止弁（CV-10）が設けられている。
【００８１】
第５分岐配管（55）は、一端がメイン回路（15）における逆止弁（CV-8）と主熱交換器（HEX2）との間に接続され、他端がメイン回路（15）における逆止弁（CV-6）とレシーバ（13）との間に接続されている。この第５分岐配管（55）には、一端から他端に向かう冷媒の流通のみを許容する逆止弁（CV-9）が設けられている。
【００８２】
第６分岐配管（56）は、一端がメイン回路（15）における１次側圧縮機（11）の吐出側と１次側四路切換弁（12）との間に接続され、他端がメイン回路（15）における逆止弁（CV-7）と加熱熱交換器（HEX3）との間に接続されている。この第６分岐配管（56）には、第４電磁弁（SV-4）が設けられている。
【００８３】
第７分岐配管（57）は、一端がメイン回路（15）におけるレシーバ（13）と第１電磁弁（SV-1）との間に接続され、他端がメイン回路（15）における電動弁（EV-F）と第１膨張弁（EV-1）との間に接続されている。この第７分岐配管（57）には、第３電磁弁（SV-3）が設けられている。
【００８４】
−運転動作−
〈冷房運転〉
１次側回路（10）で生成した冷熱を室内ユニット（22）へ搬送する冷房運転時における運転動作について、図１を参照しながら説明する。
【００８５】
１次側回路（10）では、１次側四路切換弁（12）が図１に実線で示すように切り換えられると共に、第１電磁弁（SV-1）が開放され、電動弁（EV-F）、第１膨張弁（EV-1）及び第２膨張弁（EV-2）が所定開度に調整される。また、１次側回路（10）では、第３膨張弁（EV-3）、第２電磁弁（SV-2）、第３電磁弁（SV-3）及び第４電磁弁（SV-4）が閉鎖される。この状態で１次側圧縮機（11）を運転すると、１次側回路（10）において図１に一点鎖線の矢印で示すように１次側冷媒が循環し、冷凍サイクル動作が行われる。
【００８６】
具体的に、１次側圧縮機（11）から吐出された１次側冷媒は、１次側四路切換弁（12）を通って室外熱交換器（HEX6）へ流れる。室外熱交換器（HEX6）では、外気と熱交換を行って１次側冷媒が凝縮する。凝縮した１次側冷媒は、レシーバ（13）を通って加熱熱交換器（HEX3）へ流れる。
【００８７】
加熱熱交換器（HEX3）では、１次側冷媒がポンプ回路（30）の２次側冷媒と熱交換する。この熱交換によって２次側冷媒が蒸発し、加熱熱交換器（HEX3）が高圧状態に維持される。尚、加熱熱交換器（HEX3）での２次側冷媒に対する加熱量が不足する場合には、１次側圧縮機（11）の吐出ガスを加熱熱交換器（HEX3）へ適宜導入する。具体的には、第４電磁弁（SV-4）を開き、第６分岐配管（56）を通じて吐出ガスを送り込む。
【００８８】
加熱熱交換器（HEX3）からの１次側冷媒は、再熱熱交換器（HEX7）へと流れる。再熱熱交換器（HEX7）では、１次側冷媒が２次側回路（20）の主液配管（25）を流れる２次側冷媒と熱交換する。この熱交換によって、液側連絡管（27）へ送られる２次側冷媒が、所定温度にまで加熱される。
【００８９】
再熱熱交換器（HEX7）からの１次側冷媒は、電動弁（EV-F）を通過した後に二手に分流される。分流された１次側冷媒のうち、一方が冷却熱交換器（HEX4）に向かって流れ、他方が主熱交換器（HEX2）へ向かって流れる。
【００９０】
冷却熱交換器（HEX4）に向かう１次側冷媒は、第１分岐配管（51）へ流入し、第２膨張弁（EV-2）で減圧された後に冷却熱交換器（HEX4）へ流入する。冷却熱交換器（HEX4）では、１次側冷媒がポンプ回路（30）の２次側冷媒と熱交換する。この熱交換によって１次側冷媒が蒸発すると同時に２次側冷媒が凝縮し、冷却熱交換器（HEX4）が低圧状態に維持される。冷却熱交換器（HEX4）で蒸発した１次側冷媒は、第１分岐配管（51）を流れて１次側圧縮機（11）に吸入される。
【００９１】
主熱交換器（HEX2）に向かう１次側冷媒は、そのままメイン回路（15）を流れ、第１膨張弁（EV-1）で減圧された後に主熱交換器（HEX2）へ流入する。主熱交換器（HEX2）では、１次側冷媒が２次側回路（20）の２次側冷媒と熱交換する。この熱交換によって１次側冷媒が蒸発すると同時に２次側冷媒が凝縮し、２次側冷媒に冷熱が付与される。主熱交換器（HEX2）で蒸発した１次側冷媒は、１次側四路切換弁（12）を通って１次側圧縮機（11）に吸入される。
【００９２】
２次側回路（20）では、２次側四路切換弁（23）が図１に実線で示すように切り換えられると共に、室内膨張弁（EV）が所定開度に調整される。この状態で、ポンプ回路（30）の各加圧電磁弁（SV-P1,SV-P2,SV-P3）及び各減圧電磁弁（SV-V1,SV-V2,SV-V3）を開閉し、２次側冷媒に循環駆動力を付与する。そして、２次側回路（20）では、主熱交換器（HEX2）と室内熱交換器（HEX1）との間で２次側冷媒が相変化しつつ循環し、１次側回路（10）で生成した冷熱が室内熱交換器（HEX1）へ搬送される。
【００９３】
具体的に、ポンプ回路（30）の各電磁弁（SV-P1,SV-V2,SV-P3）が次の状態にあるところから説明する。即ち、第１メインタンク（T1）の加圧電磁弁（SV-P1）、サブタンク（ST）の加圧電磁弁（SV-P3）、第２メインタンク（T2）の減圧電磁弁（SV-V2）が開放されている。一方、第２メインタンク（T2）の加圧電磁弁（SV-P2）、第１メインタンク（T1）の減圧電磁弁（SV-V1）、サブタンク（ST）の減圧電磁弁（SV-V3）は閉鎖されている。
【００９４】
この状態において、第１メインタンク（T1）が加熱熱交換器（HEX3）と連通する。上述のように、加熱熱交換器（HEX3）は、冷媒の蒸発によって高圧状態に維持されている。従って、第１メインタンク（T1）には、加熱熱交換器（HEX3）の高圧のガス冷媒がガス供給管（31）を通じて供給され、これによって第１メインタンク（T1）が加圧される。第１メインタンク（T1）を加圧すると、貯留されていた液冷媒が第１メインタンク（T1）から押し出される。第１メインタンク（T1）から押し出された液冷媒は、図１に実線の矢印で示すように、押出し用液配管（37）の分岐管（37a）から押出し用液配管（37）へ流れ、２次側四路切換弁（23）を通って２次側回路（20）の主液配管（25）へ流れる。
【００９５】
一方、第２メインタンク（T2）は、冷却熱交換器（HEX4）と連通する。上述のように、冷却熱交換器（HEX4）は、冷媒の凝縮によって低圧状態に維持されている。従って、第２メインタンク（T2）内のガス冷媒がガス回収管（32）を通じて冷却熱交換器（HEX4）に吸引され、これによって第２メインタンク（T2）が減圧される。第２メインタンク（T2）を減圧すると、第２メインタンク（T2）に２次側回路（20）の液冷媒が回収される。即ち、図１に実線の矢印で示すように、主液配管（26）の液冷媒が吸引され、２次側四路切換弁（23）、回収用液配管（38）、回収用液配管（38）の分岐管（38b）を順に流れて第２メインタンク（T2）に回収される。
【００９６】
また、サブタンク（ST）は、加熱熱交換器（HEX3）と連通している。従って、加熱熱交換器（HEX3）のガス冷媒は、サブタンク（ST）へも供給され、これによってサブタンク（ST）が加圧される。加圧されたサブタンク（ST）からは、液冷媒が押し出される。この液冷媒は、図１に破線の矢印で示すように、液回収管（34）を通って加熱熱交換器（HEX3）へ送られ、加熱熱交換器（HEX3）を高圧に維持するために利用される。
【００９７】
その後、サブタンク（ST）がほぼ空になると、今度はサブタンク（ST）の加圧電磁弁（SV-P3）を閉鎖し、減圧電磁弁（SV-V3）を開放する。この状態で、サブタンク（ST）が冷却熱交換器（HEX4）と連通し、サブタンク（ST）が減圧される。減圧されたサブタンク（ST）には、押出し用液配管（37）を流れる冷媒の一部が分岐管（37c）を通じて回収される。
【００９８】
サブタンク（ST）が液冷媒で満たされると、再びサブタンク（ST）の加圧電磁弁（SV-P3）を開放すると共に減圧電磁弁（SV-V3）を閉鎖し、サブタンク（ST）から加熱熱交換器（HEX3）へ液冷媒を送り出す。以上のようなサブタンク（ST）の加減圧を繰り返し、加熱熱交換器（HEX3）へ液冷媒を連続的に供給する。
【００９９】
上記２次側回路（20）では、上述のような第１メインタンク（T1）からの液冷媒の押し出しと、第２メインタンク（T2）への液冷媒の回収とによって２次側冷媒が循環する。
【０１００】
具体的に、第１メインタンク（T1）から押し出された液冷媒（２次側冷媒）は、主液配管（25）を通じて各室内ユニット（22）の室内熱交換器（HEX1）へと送られる。その際、主液配管（25）を流れる液冷媒は、再熱熱交換器（HEX7）において１次側冷媒と熱交換して加熱される。この再熱熱交換器（HEX7）では、液側連絡管（27）の周囲における空気の露点温度よりもやや高い温度にまで２次側冷媒が加熱される。即ち、第１メインタンク（T1）からの液冷媒は、再熱熱交換器（HEX7）で所定温度にまで加熱された後に液側連絡管（27）へ流入する。従って、液側連絡管（27）の外側で結露が生じることはない。
【０１０１】
液側連絡管（27）を通じて各室内ユニット（22）に分配された液冷媒は、室内膨張弁（EV）で減圧された後に室内熱交換器（HEX1）へ導入される。室内熱交換器（HEX1）では、減圧された２次側冷媒が室内空気と熱交換を行い、室内空気から吸熱して蒸発する。これによって、室内空気を冷却し、低温となった室内空気を再び室内に供給して冷房を行う。各室内熱交換器（HEX1）で蒸発した冷媒は、主ガス配管（24）を通って主熱交換器（HEX2）へ流れる。
【０１０２】
主熱交換器（HEX2）では、２次側冷媒が１次側回路（10）の１次側冷媒と熱交換する。この熱交換によって、２次側冷媒が１次側冷媒に対して放熱し、凝縮する。主熱交換器（HEX2）で凝縮した２次側冷媒は、主液配管（26）を流れ、回収用液配管（38）を通って第２メインタンク（T2）に回収される。
【０１０３】
このような動作を所定時間行った後、ポンプ回路（30）の電磁弁（SV-P1,SV-P2,…）を切換える。つまり、第１メインタンク（T1）の加圧電磁弁（SV-P1）、第２メインタンク（T2）の減圧電磁弁（SV-V2）を閉鎖し、第２メインタンク（T2）の加圧電磁弁（SV-P2）、第１メインタンク（T1）の減圧電磁弁（SV-V1）を開放する。これによって、第１メインタンク（T1）が減圧され、逆に、第２メインタンク（T2）が加圧される。このため、第２メインタンク（T2）から押し出された液冷媒が上述のように循環して、第１メインタンク（T1）に回収される。
【０１０４】
以上のように各電磁弁（SV-P1,SV-P2,…）が切換え動作を行い、２次側回路（20）において連続的に２次側冷媒を循環させる。これによって１次側回路（10）の冷熱を室内熱交換器（HEX1）へ搬送し、室内の冷房を行う。尚、サブタンク（ST）の加圧電磁弁（SV-P3）及び減圧電磁弁（SV-V3）の開閉は、独自のタイミングで、メインタンク（T1,T2）の電磁弁（SV-P1,SV-P2,SV-V1,SV-V2）の開閉と関係なく行われる。
【０１０５】
〈暖房運転〉
１次側回路（10）で生成した温熱を室内ユニット（22）へ搬送する暖房運転時における運転動作について、図２を参照しながら説明する。
【０１０６】
１次側回路（10）では、１次側四路切換弁（12）が図２に破線で示すように切り換えられると共に、第２電磁弁（SV-2）、第３電磁弁（SV-3）及び第４電磁弁（SV-4）が開放され、第１膨張弁（EV-1）、第２膨張弁（EV-2）及び第３膨張弁（EV-3）が所定開度に調整される。また、１次側回路（10）では、電動弁（EV-F）及び第１電磁弁（SV-1）が閉鎖される。この状態で１次側圧縮機（11）を運転すると、１次側回路（10）において図２に一点鎖線の矢印で示すように１次側冷媒が循環し、ヒートポンプサイクル動作が行われる。
【０１０７】
具体的に、１次側圧縮機（11）から吐出された１次側冷媒は、二手に分流されて主熱交換器（HEX2）及び加熱熱交換器（HEX3）に向かって流れる。
【０１０８】
主熱交換器（HEX2）に向かう１次側冷媒は、１次側四路切換弁（12）を通って主熱交換器（HEX2）へ流入する。主熱交換器（HEX2）では、１次側冷媒が２次側回路（20）の２次側冷媒と熱交換する。この熱交換によって１次側冷媒が凝縮すると同時に２次側冷媒が蒸発し、２次側冷媒に温熱が付与される。主熱交換器（HEX2）で凝縮した１次側冷媒は、第５分岐配管（55）を通ってレシーバ（13）へ一旦流入する。レシーバ（13）から出た１次側冷媒は、第７分岐配管（57）を流れた後にメイン回路（15）に戻る。メイン回路（15）に戻った１次側冷媒は、二手に分流されて室外熱交換器（HEX6）及び第１分岐配管（51）に向かって流れる。
【０１０９】
室外熱交換器（HEX6）に向かう１次側冷媒は、第１膨張弁（EV-1）で減圧された後に、第４分岐配管（54）を通って室外熱交換器（HEX6）へ流入する。室外熱交換器（HEX6）では、外気と熱交換を行って１次側冷媒が蒸発する。室外熱交換器（HEX6）で蒸発した１次側冷媒は、１次側四路切換弁（12）を通って１次側圧縮機（11）に吸入される。
【０１１０】
１次側圧縮機（11）から吐出されて加熱熱交換器（HEX3）に向かう１次側冷媒は、第６分岐配管（56）を通って加熱熱交換器（HEX3）へ流入する。加熱熱交換器（HEX3）では、１次側冷媒がポンプ回路（30）の２次側冷媒と熱交換する。この熱交換によって、１次側冷媒が凝縮すると同時に２次側冷媒が蒸発し、加熱熱交換器（HEX3）が高圧状態に維持される。加熱熱交換器（HEX3）で凝縮した１次側冷媒は、第２分岐配管（52）へ流入する。第２分岐配管（52）から出た１次側冷媒は、第７分岐配管（57）から出て第１分岐配管（51）へ向かう１次側冷媒と合流し、その後に二手に分流されて冷却熱交換器（HEX4）及びタンク前熱交換器（HEX5）に向かって流れる。
【０１１１】
冷却熱交換器（HEX4）に向かう１次側冷媒は、第１分岐配管（51）へ流入し、第２膨張弁（EV-2）で減圧された後に冷却熱交換器（HEX4）へ流入する。冷却熱交換器（HEX4）では、１次側冷媒がポンプ回路（30）の２次側冷媒と熱交換する。この熱交換によって１次側冷媒が蒸発すると同時に２次側冷媒が凝縮し、冷却熱交換器（HEX4）が低圧状態に維持される。冷却熱交換器（HEX4）で蒸発した１次側冷媒は、第１分岐配管（51）を流れて１次側圧縮機（11）に吸入される。
【０１１２】
タンク前熱交換器（HEX5）に向かう１次側冷媒は、第１分岐配管（51）から第３分岐配管（53）へ流入し、第３膨張弁（EV-3）で減圧された後にタンク前熱交換器（HEX5）へ流入する。タンク前熱交換器（HEX5）では、１次側冷媒がポンプ回路（30）の回収用液配管（38）を流れる２次側冷媒と熱交換する。つまり、タンク前熱交換器（HEX5）では、２次側回路（20）の主液配管（25）からメインタンク（T1,T2）に回収される２次側冷媒が、１次側冷媒と熱交換を行って冷却される。この熱交換によって、メインタンク（T1,T2）に回収される２次側冷媒が液相に維持される。また、この熱交換によって蒸発した１次側冷媒は、再び第１分岐配管（51）を通って１次側圧縮機（11）に吸入される。
【０１１３】
２次側回路（20）では、２次側四路切換弁（23）が図２に破線で示すように切り換えられると共に、室内膨張弁（EV）が所定開度に調整される。この状態で、ポンプ回路（30）の各加圧電磁弁（SV-P1,SV-P2,SV-P3）及び各減圧電磁弁（SV-V1,SV-V2,SV-V3）を開閉し、２次側冷媒に循環駆動力を付与する。尚、図２における実線の矢印は、第２メインタンク（T2）から液冷媒を押し出し、第１メインタンク（T1）に液冷媒を回収する場合における冷媒の流れを示している。
【０１１４】
ポンプ回路（30）の動作は、上記冷房運転時と同様である。そして、２次側回路（20）では、主熱交換器（HEX2）と室内熱交換器（HEX1）との間で２次側冷媒が相変化しつつ循環し、１次側回路（10）で生成した温熱が室内熱交換器（HEX1）へ搬送される。
【０１１５】
具体的に、一方のメインタンク（T1,T2）から押し出された液冷媒は、押出し用液配管（37）及び２次側四路切換弁（23）を流れ、２次側回路（20）の主液配管（26）を通じて主熱交換器（HEX2）へ送られる。主熱交換器（HEX2）では、２次側冷媒が１次側回路（10）の１次側冷媒と熱交換し、該１次側冷媒によって加熱されて蒸発する。これによって、１次側回路（10）の温熱が２次側回路（20）の２次側冷媒に付与される。
【０１１６】
主熱交換器（HEX2）で蒸発したガス冷媒は、主ガス配管（24）を流れ、各室内ユニット（22）の室内熱交換器（HEX1）に分配される。室内熱交換器（HEX1）では、２次側冷媒が室内空気と熱交換する。この熱交換によって、２次側冷媒が室内空気に対して放熱して凝縮し、室内空気が加熱される。そして、加熱された室内空気を再び室内に供給して暖房を行う。
【０１１７】
室内熱交換器（HEX1）で凝縮した２次側冷媒は、室内膨張弁（EV）を通って主液配管（25）へ流入する。その後、２次側冷媒は、主液配管（25）から２次側四路切換弁（23）及び回収用液配管（38）を通って、他方のメインタンク（T1,T2）に回収される。
【０１１８】
−参考技術１の効果−
本参考技術１では、再熱熱交換器（HEX7）を設け、主液配管（25）を流れる２次側冷媒を所定温度にまで再熱（加熱）している。即ち、主熱交換器（HEX2）で冷熱を付与されて低温となった２次側冷媒を、再熱熱交換器（HEX7）において加熱し、空気の露点温度に対応する所定温度とした後に液側連絡配管へ流入させるようにしている。従って、室外ユニット（29）から室内ユニット（22）に至る液側連絡管（27）においては、再熱熱交換器（HEX7）で加熱された２次側冷媒を流通させることができ、液側連絡管（27）の表面の温度を、その周囲における空気の露点温度よりも高くすることができる。このため、液側連絡管（27）の表面での結露を確実に防止することができる。
【０１１９】
この結果、上記液側連絡管（27）に断熱材を付加する等、液側連絡管（27）に対する防熱を施すことなく、結露の問題を回避することができる。更には、防熱の施されていない既設の連絡配管を利用して冷凍装置を設置する場合であっても結露の問題を回避して水漏れ等のトラブルを未然に防止することができ、更新需要にも充分に対応することが可能となる。
【０１２０】
また、本参考技術１では、再熱熱交換器（HEX7）へ１次側回路（10）の高圧の１次側冷媒を導入し、この１次側冷媒との熱交換によって２次側冷媒の再熱を行っている。このため、上述のように、再熱熱交換器（HEX7）における２次側冷媒の加熱を、新たにエネルギを投入することなく行うことができる（図８参照）。従って、液側連絡管（27）における結露を防止するために、新たなエネルギを全く必要としない。
【０１２１】
このように、本参考技術１によれば、別途エネルギを投入することなく、液側連絡管（27）の表面と該液側連絡管（27）の周囲の空気との温度差を縮小できる。この結果、この液側連絡管（27）を流れる間の熱侵入によるロスを削減でき、冷房能力の向上が図られると共に、エネルギ効率の向上を図ることが可能となる。
【０１２２】
また、本参考技術１では、タンク前熱交換器（HEX5）を設け、暖房運転時において回収用液配管（38）を流れる２次側冷媒を冷却し、過冷却状態として液相に維持するようにしている。このため、メインタンク（T1,T2）へ回収される２次側冷媒を確実に液相とすることができ、冷媒がフラッシュすることによってポンプ回路（30）で付与される循環駆動力が低下するのを防ぐことができる。このため、暖房運転時において、２次側回路（20）での２次側冷媒の循環量を確保でき、暖房能力を充分に発揮させることが可能となる。
【０１２３】
《参考技術２》
参考技術２について説明する。この参考技術２は、上記参考技術１において、１次側回路（10）の構成を変更したものである。具体的に、参考技術１に係る１次側回路（10）では、加熱熱交換器（HEX3）と再熱熱交換器（HEX7）とが直列に設けられているのに対し、本参考技術に係る１次側回路（10）では、加熱熱交換器（HEX3）と再熱熱交換器（HEX7）とが並列に設けられている。本参考技術２における２次側回路（20）及びポンプ回路（30）の構成は、参考技術１のものと同様である。以下、参考技術１と異なる構成について説明する。
【０１２４】
図３に示すように、上記１次側回路（10）は、メイン回路（15）と、第１〜第８分岐配管（51〜58）とによって構成されている。
【０１２５】
上記メイン回路（15）は、１次側圧縮機（11）、１次側四路切換弁（12）、室外熱交換器（HEX6）、レシーバ（13）、加熱熱交換器（HEX3）及び主熱交換器（HEX2）を順に配管接続して構成されている。メイン回路（15）には、Ｒ２２が１次側冷媒として充填されている。このメイン回路（15）では、１次側四路切換弁（12）の切り換えによって冷媒循環方向が反転し、冷凍サイクル動作とヒートポンプサイクル動作とが切り換えて行われる。
【０１２６】
また、メイン回路（15）には、逆止弁や電磁弁等が設けられている。具体的に、室外熱交換器（HEX6）とレシーバ（13）の間には、レシーバ（13）へ向かう冷媒の流通のみを許容する逆止弁（CV-6）が設けられている。レシーバ（13）と加熱熱交換器（HEX3）の間には、加熱熱交換器（HEX3）に向かって順に、第１電磁弁（SV-1）と逆止弁（CV-7）とが設けられている。この逆止弁（CV-7）は、加熱熱交換器（HEX3）へ向かう冷媒の流通のみを許容する。加熱熱交換器（HEX3）と主熱交換器（HEX2）の間には、主熱交換器（HEX2）に向かって順に、第１膨張弁（EV-1）と逆止弁（CV-8）とが設けられている。この逆止弁（CV-8）は、主熱交換器（HEX2）へ向かう冷媒の流通のみを許容する。
【０１２７】
第１分岐配管（51）は、一端がメイン回路（15）における加熱熱交換器（HEX3）と第１膨張弁（EV-1）との間に接続され、他端がメイン回路（15）における１次側四路切換弁（12）と１次側圧縮機（11）の吸入側との間に接続されている。この第１分岐配管（51）には、一端から他端に向かって順に、第２膨張弁（EV-2）と冷却熱交換器（HEX4）とが設けられている。
【０１２８】
第２分岐配管（52）は、一端がメイン回路（15）におけるレシーバ（13）と第１電磁弁（SV-1）との間に接続され、他端がメイン回路（15）における加熱熱交換器（HEX3）と第１膨張弁（EV-1）との間に接続されている。この第２分岐配管（52）には、一端から他端に向かって順に、第５電磁弁（SV-5）と逆止弁（CV-11）と再熱熱交換器（HEX7）と電動弁（EV-F）とが設けられている。この逆止弁（CV-11）は、再熱熱交換器（HEX7）へ向かう冷媒の流通のみを許容する。
【０１２９】
第３分岐配管（53）は、一端が第１分岐配管（51）における第２膨張弁（EV-2）よりも一端寄りに接続され、他端が第１分岐配管（51）における冷却熱交換器（HEX4）よりも他端寄りに接続されている。この第３分岐配管（53）には、一端から他端に向かって順に、第３膨張弁（EV-3）とタンク前熱交換器（HEX5）とが設けられている。
【０１３０】
第４分岐配管（54）は、一端がメイン回路（15）における第１膨張弁（EV-1）と逆止弁（CV-8）との間に接続され、他端がメイン回路（15）における室外熱交換器（HEX6）と逆止弁（CV-6）との間に接続されている。この第４分岐配管（54）には、一端から他端に向かう冷媒の流通のみを許容する逆止弁（CV-10）が設けられている。
【０１３１】
第５分岐配管（55）は、一端がメイン回路（15）における逆止弁（CV-8）と主熱交換器（HEX2）との間に接続され、他端がメイン回路（15）における逆止弁（CV-6）とレシーバ（13）との間に接続されている。この第５分岐配管（55）には、一端から他端に向かう冷媒の流通のみを許容する逆止弁（CV-9）が設けられている。
【０１３２】
第６分岐配管（56）は、一端がメイン回路（15）における１次側圧縮機（11）の吐出側と１次側四路切換弁（12）との間に接続され、他端がメイン回路（15）における逆止弁（CV-7）と加熱熱交換器（HEX3）との間に接続されている。この第６分岐配管（56）には、第４電磁弁（SV-4）が設けられている。
【０１３３】
第７分岐配管（57）は、一端がメイン回路（15）におけるレシーバ（13）と第１電磁弁（SV-1）との間に接続され、他端が加熱熱交換器（HEX3）と第１膨張弁（EV-1）との間におけるメイン回路（15）への第２分岐配管（52）の接続部よりも第１膨張弁（EV-1）寄りに接続されている。この第７分岐配管（57）には、第３電磁弁（SV-3）が設けられている。
【０１３４】
第８分岐配管（58）は、一端が第６分岐配管（56）における第４電磁弁（SV-4）よりも一端寄りに接続され、他端が第２分岐配管（52）における逆止弁（CV-11）と再熱熱交換器（HEX7）との間に接続されている。この第８分岐配管（58）には、第６電磁弁（SV-6）が設けられている。
【０１３５】
−運転動作−
本参考技術２に係る空調機の動作について説明する。この空調機において、２次側回路（20）及びポンプ回路（30）の動作は、上記参考技術１のものと同様である。以下、本参考技術２に係る１次側回路（10）の動作について説明する。
【０１３６】
〈冷房運転〉
冷房運転時における１次側回路（10）の動作について、図３を参照しながら説明する。１次側回路（10）では、１次側四路切換弁（12）が図３に実線で示すように切り換えられると共に、第１電磁弁（SV-1）及び第５電磁弁（SV-5）が開放され、電動弁（EV-F）、第１膨張弁（EV-1）及び第２膨張弁（EV-2）が所定開度に調整される。また、１次側回路（10）では、第３膨張弁（EV-3）、第３電磁弁（SV-3）、第４電磁弁（SV-4）及び第６電磁弁（SV-6）が閉鎖される。この状態で１次側圧縮機（11）を運転すると、１次側回路（10）において図３に一点鎖線の矢印で示すように１次側冷媒が循環し、冷凍サイクル動作が行われる。
【０１３７】
具体的に、１次側圧縮機（11）から吐出された１次側冷媒は、１次側四路切換弁（12）を通って室外熱交換器（HEX6）へ流れる。室外熱交換器（HEX6）では、外気と熱交換を行って１次側冷媒が凝縮する。凝縮した１次側冷媒は、レシーバ（13）を通り、その後に二手に分流される。分流された１次側冷媒は、その一方が加熱熱交換器（HEX3）へ流れ、他方が再熱熱交換器（HEX7）へ流れる。
【０１３８】
加熱熱交換器（HEX3）に向かう１次側冷媒は、そのままメイン回路（15）を流れて加熱熱交換器（HEX3）へ流入する。加熱熱交換器（HEX3）では、１次側冷媒がポンプ回路（30）の２次側冷媒と熱交換する。この熱交換によって２次側冷媒が蒸発し、加熱熱交換器（HEX3）が高圧状態に維持される。尚、加熱熱交換器（HEX3）での２次側冷媒に対する加熱量が不足する場合には、１次側圧縮機（11）の吐出ガスを加熱熱交換器（HEX3）へ適宜導入する。具体的には、第４電磁弁（SV-4）を開き、第６分岐配管（56）を通じて吐出ガスを送り込む。
【０１３９】
一方、再熱熱交換器（HEX7）に向かう１次側冷媒は、第２分岐配管（52）を流れて再熱熱交換器（HEX7）へ流入する。再熱熱交換器（HEX7）では、１次側冷媒が２次側回路（20）の主液配管（25）を流れる２次側冷媒と熱交換する。この熱交換によって、液側連絡管（27）へ送られる２次側冷媒が、所定温度にまで加熱される。尚、再熱熱交換器（HEX7）での２次側冷媒に対する加熱量が不足する場合には、１次側圧縮機（11）の吐出ガスを再熱熱交換器（HEX7）へ適宜導入する。具体的には、第６電磁弁（SV-6）を開き、第８分岐配管（58）を通じて吐出ガスを送り込む。
【０１４０】
加熱熱交換器（HEX3）からの１次側冷媒は、二手に分流されて、その一方が冷却熱交換器（HEX4）に向かって流れる。冷却熱交換器（HEX4）に向かう１次側冷媒は、第１分岐配管（51）へ流入し、第２膨張弁（EV-2）で減圧された後に冷却熱交換器（HEX4）へ流入する。冷却熱交換器（HEX4）では、１次側冷媒がポンプ回路（30）の２次側冷媒と熱交換する。この熱交換によって１次側冷媒が蒸発すると同時に２次側冷媒が凝縮し、冷却熱交換器（HEX4）が低圧状態に維持される。冷却熱交換器（HEX4）で蒸発した１次側冷媒は、第１分岐配管（51）を流れて１次側圧縮機（11）に吸入される。
【０１４１】
分流された加熱熱交換器（HEX3）からの１次側冷媒のうち、他方はそのままメイン回路（15）を流れる。メイン回路（15）を流れる１次側冷媒は、再熱熱交換器（HEX7）からの１次側冷媒と合流した後に主熱交換器（HEX2）へ送られる。主熱交換器（HEX2）に向かう１次側冷媒は、第１膨張弁（EV-1）で減圧された後に主熱交換器（HEX2）へ流入する。主熱交換器（HEX2）では、１次側冷媒が２次側回路（20）の２次側冷媒と熱交換する。この熱交換によって１次側冷媒が蒸発すると同時に２次側冷媒が凝縮し、２次側冷媒に冷熱が付与される。主熱交換器（HEX2）で蒸発した１次側冷媒は、１次側四路切換弁（12）を通って１次側圧縮機（11）に吸入される。
【０１４２】
〈暖房運転〉
暖房運転時における１次側回路（10）の動作について、図４を参照しながら説明する。１次側回路（10）では、１次側四路切換弁（12）が図４に破線で示すように切り換えられると共に、第３電磁弁（SV-3）及び第４電磁弁（SV-4）が開放され、第１膨張弁（EV-1）、第２膨張弁（EV-2）及び第３膨張弁（EV-3）が所定開度に調整される。また、１次側回路（10）では、電動弁（EV-F）、第１電磁弁（SV-1）、第５電磁弁（SV-5）及び第６電磁弁（SV-6）が閉鎖される。この状態で１次側圧縮機（11）を運転すると、１次側回路（10）において図４に一点鎖線の矢印で示すように１次側冷媒が循環し、ヒートポンプサイクル動作が行われる。
【０１４３】
具体的に、１次側圧縮機（11）から吐出された１次側冷媒は、二手に分流されて主熱交換器（HEX2）及び加熱熱交換器（HEX3）に向かって流れる。
【０１４４】
主熱交換器（HEX2）に向かう１次側冷媒は、１次側四路切換弁（12）を通って主熱交換器（HEX2）へ流れる。主熱交換器（HEX2）では、１次側冷媒が２次側回路（20）の２次側冷媒と熱交換する。この熱交換によって１次側冷媒が凝縮すると同時に２次側冷媒が蒸発し、２次側冷媒に温熱が付与される。主熱交換器（HEX2）で凝縮した１次側冷媒は、第５分岐配管（55）を通ってレシーバ（13）へ一旦流入する。レシーバ（13）から出た１次側冷媒は、第７分岐配管（57）を流れた後にメイン回路（15）に戻る。メイン回路（15）に戻った１次側冷媒は、二手に分流されて室外熱交換器（HEX6）及び第１分岐配管（51）に向かって流れる。
【０１４５】
室外熱交換器（HEX6）に向かう１次側冷媒は、第１膨張弁（EV-1）で減圧された後に、第４分岐配管（54）を通って室外熱交換器（HEX6）へ流入する。室外熱交換器（HEX6）では、外気と熱交換を行って１次側冷媒が蒸発する。室外熱交換器（HEX6）で蒸発した１次側冷媒は、１次側四路切換弁（12）を通って１次側圧縮機（11）に吸入される。
【０１４６】
１次側圧縮機（11）から吐出されて加熱熱交換器（HEX3）に向かう１次側冷媒は、第６分岐配管（56）を通って加熱熱交換器（HEX3）へ流入する。加熱熱交換器（HEX3）では、１次側冷媒がポンプ回路（30）の２次側冷媒と熱交換する。この熱交換によって、１次側冷媒が凝縮すると同時に２次側冷媒が蒸発し、加熱熱交換器（HEX3）が高圧状態に維持される。加熱熱交換器（HEX3）で凝縮した１次側冷媒は、第７分岐配管（57）から出て第１分岐配管（51）へ向かう１次側冷媒と合流し、その後に二手に分流されて冷却熱交換器（HEX4）及びタンク前熱交換器（HEX5）に向かって流れる。
【０１４７】
冷却熱交換器（HEX4）に向かう１次側冷媒は、第１分岐配管（51）へ流入し、第２膨張弁（EV-2）で減圧された後に冷却熱交換器（HEX4）へ流入する。冷却熱交換器（HEX4）では、１次側冷媒がポンプ回路（30）の２次側冷媒と熱交換する。この熱交換によって１次側冷媒が蒸発すると同時に２次側冷媒が凝縮し、冷却熱交換器（HEX4）が低圧状態に維持される。冷却熱交換器（HEX4）で蒸発した１次側冷媒は、第１分岐配管（51）を流れて１次側圧縮機（11）に吸入される。
【０１４８】
タンク前熱交換器（HEX5）に向かう１次側冷媒は、第１分岐配管（51）から第３分岐配管（53）へ流入し、第３膨張弁（EV-3）で減圧された後にタンク前熱交換器（HEX5）へ流入する。タンク前熱交換器（HEX5）では、１次側冷媒がポンプ回路（30）の回収用液配管（38）を流れる２次側冷媒と熱交換する。つまり、タンク前熱交換器（HEX5）では、２次側回路（20）の主液配管（25）からメインタンク（T1,T2）に回収される２次側冷媒が、１次側冷媒と熱交換を行って冷却される。この熱交換によって、メインタンク（T1,T2）に回収される２次側冷媒が液相に維持される。また、この熱交換によって蒸発した１次側冷媒は、再び第１分岐配管（51）を通って１次側圧縮機（11）に吸入される。
【０１４９】
《発明の実施形態》
本発明の実施形態について説明する。本実施形態は、本発明に係る冷凍装置を空調機に構成したものである。
【０１５０】
本実施形態は、上記参考技術１において、ポンプ回路（30）及び１次側回路（10）の構成を変更したものである。具体的に、冷房時において、参考技術１における冷却熱交換器（HEX4）の機能を２次側回路（20）の主熱交換器（HEX2）が兼ねるようにすると共に、暖房時において、参考技術１における冷却熱交換器（HEX4）及びタンク前熱交換器（HEX5）の機能を再熱熱交換器（HEX7）が兼ねるようにしたものである。以下、参考技術１と異なる構成について説明する。
【０１５１】
〈ポンプ回路の構成〉
図５に示すように、本実施形態のポンプ回路（30）では、上記参考技術１における冷却熱交換器（HEX4）及びタンク前熱交換器（HEX5）が省略されている（図１参照）。これに伴い、上記ポンプ回路（30）では、参考技術１におけるガス回収管（32）に代えて、第１，第２，第３ガス回収管（41,42,43）が設けられている。具体的に、第１メインタンク（T1）に第１ガス回収管（41）が接続され、第２メインタンク（T2）に第２ガス回収管（42）が接続されている。また、サブタンク（ST）には、第３ガス回収管（43）が接続されている。
【０１５２】
上記第１ガス回収管（41）は、一端が第１メインタンク（T1）の上端に接続され、他端が二つの分岐管（41a,41b）に分岐されている。この第１ガス回収管（41）には、第１タンク減圧電磁弁（SV-V1）が設けられている。一方、第２ガス回収管（42）は、一端が第２メインタンク（T2）の上端に接続され、他端が二つの分岐管（42a,42b）に分岐されている。この第２ガス回収管（42）には、第２タンク減圧電磁弁（SV-V2）が設けられている。
【０１５３】
第１及び第２ガス回収管（41,42）の一方の分岐管（41a,42a）は、それぞれ２次側回路（20）の主ガス配管（24）に接続されている。これら各分岐管（41a,42a）には、それぞれ逆止弁（CV-15）が設けられている。各逆止弁（CV-15）は、主ガス配管（24）へ向かう冷媒の流通のみを許容する。
【０１５４】
第１及び第２ガス回収管（41,42）の他方の分岐管（41b,42b）は、それぞれ２次側回路（20）の主液配管（25）における再熱熱交換器（HEX7）と室内膨張弁（EV）との間に接続されている。これら各分岐管（41b,42b）には、それぞれ逆止弁（CV-16）が設けられている。各逆止弁（CV-16）は、主液配管（25）へ向かう冷媒の流通のみを許容する。
【０１５５】
上記第３ガス回収管（43）は、一端がサブタンク（ST）の上端に接続され、他端が二つの分岐管（43a,43b）に分岐されている。第３ガス回収管（43）の一方の分岐管（43a）は、２次側回路（20）の主ガス配管（24）に接続されている。この分岐管（43a）には、主ガス配管（24）へ向かって順に、第３タンク減圧電磁弁（SV-V3）と逆止弁（CV-17）とが設けられている。この逆止弁（CV-17）は、主ガス配管（24）へ向かう冷媒の流通のみを許容する。第３ガス回収管（43）の他方の分岐管（43b）は、２次側回路（20）の主液配管（25）における再熱熱交換器（HEX7）と室内膨張弁（EV）との間に接続されている。この分岐管（43b）には、第４タンク減圧電磁弁（SV-V4）が設けられている。
【０１５６】
〈１次側回路の構成〉
図５に示すように、本実施形態の１次側回路（10）は、メイン回路（15）と、第４〜第７，第９，第１０分岐配管（54〜57,59,60）とによって構成されている。
【０１５７】
上記メイン回路（15）は、１次側圧縮機（11）、１次側四路切換弁（12）、室外熱交換器（HEX6）、レシーバ（13）、加熱熱交換器（HEX3）、再熱熱交換器（HEX7）及び主熱交換器（HEX2）を順に配管接続して構成されている。メイン回路（15）には、Ｒ２２が１次側冷媒として充填されている。このメイン回路（15）では、１次側四路切換弁（12）の切り換えによって冷媒循環方向が反転し、冷凍サイクル動作とヒートポンプサイクル動作とが切り換えて行われる。
【０１５８】
また、メイン回路（15）には、逆止弁や電磁弁等が設けられている。具体的に、室外熱交換器（HEX6）とレシーバ（13）の間には、レシーバ（13）へ向かう冷媒の流通のみを許容する逆止弁（CV-6）が設けられている。レシーバ（13）と加熱熱交換器（HEX3）の間には、加熱熱交換器（HEX3）に向かって順に、第１電磁弁（SV-1）と逆止弁（CV-7）とが設けられている。この逆止弁（CV-7）は、加熱熱交換器（HEX3）へ向かう冷媒の流通のみを許容する。加熱熱交換器（HEX3）と再熱熱交換器（HEX7）の間には、第４膨張弁（EV-4）が設けられている。再熱熱交換器（HEX7）と主熱交換器（HEX2）の間には、主熱交換器（HEX2）に向かって順に、第８電磁弁（SV-8）と逆止弁（CV-12）と第１膨張弁（EV-1）と逆止弁（CV-8）とが設けられている。これら二つの逆止弁（CV-8,CV-12）は、主熱交換器（HEX2）へ向かう冷媒の流通のみを許容する。
【０１５９】
第４分岐配管（54）は、一端がメイン回路（15）における第１膨張弁（EV-1）と逆止弁（CV-8）との間に接続され、他端がメイン回路（15）における室外熱交換器（HEX6）と逆止弁（CV-6）との間に接続されている。この第４分岐配管（54）には、一端から他端に向かう冷媒の流通のみを許容する逆止弁（CV-10）が設けられている。
【０１６０】
第５分岐配管（55）は、一端がメイン回路（15）における逆止弁（CV-8）と主熱交換器（HEX2）との間に接続され、他端がメイン回路（15）における逆止弁（CV-6）とレシーバ（13）との間に接続されている。この第５分岐配管（55）には、一端から他端に向かう冷媒の流通のみを許容する逆止弁（CV-9）が設けられている。
【０１６１】
第６分岐配管（56）は、一端がメイン回路（15）における１次側圧縮機（11）の吐出側と１次側四路切換弁（12）との間に接続され、他端がメイン回路（15）における逆止弁（CV-7）と加熱熱交換器（HEX3）との間に接続されている。この第６分岐配管（56）には、第４電磁弁（SV-4）が設けられている。
【０１６２】
第７分岐配管（57）は、一端がメイン回路（15）におけるレシーバ（13）と第１電磁弁（SV-1）との間に接続され、他端がメイン回路（15）における逆止弁（CV-12）と第１膨張弁（EV-1）との間に接続されている。この第７分岐配管（57）には、第３電磁弁（SV-3）が設けられている。
【０１６３】
第９分岐配管（59）は、一端がメイン回路（15）における加熱熱交換器（HEX3）と第４膨張弁（EV-4）との間に接続され、他端がメイン回路（15）における逆止弁（CV-12）と第１膨張弁（EV-1）との間に接続されている。この第９分岐配管（59）には、第７電磁弁（SV-7）が設けられている。
【０１６４】
第１０分岐配管（60）は、一端がメイン回路（15）における再熱熱交換器（HEX7）と第８電磁弁（SV-8）との間に接続され、他端がメイン回路（15）における１次側四路切換弁（12）と１次側圧縮機（11）の吸入側との間に接続されている。この第１０分岐配管（60）には、第９電磁弁（SV-9）が設けられている。
【０１６５】
−運転動作−
〈冷房運転〉
本実施形態に係る空調機の冷房運転時の動作について、図５を参照しながら説明する。
【０１６６】
１次側回路（10）では、１次側四路切換弁（12）が図５に実線で示すように切り換えられると共に、第１電磁弁（SV-1）、第８電磁弁（SV-8）が開放され、第４膨張弁（EV-4）が全開に調整される一方、第１膨張弁（EV-1）が所定開度に調整される。また、１次側回路（10）では、第３電磁弁（SV-3）、第４電磁弁（SV-4）、第７電磁弁（SV-7）及び第９電磁弁（SV-9）が閉鎖される。この状態で１次側圧縮機（11）を運転すると、１次側回路（10）において図５に一点鎖線の矢印で示すように１次側冷媒が循環し、冷凍サイクル動作が行われる。
【０１６７】
具体的に、１次側圧縮機（11）から吐出された１次側冷媒は、１次側四路切換弁（12）を通って室外熱交換器（HEX6）へ流れる。室外熱交換器（HEX6）では、外気と熱交換を行って１次側冷媒が凝縮する。凝縮した１次側冷媒は、レシーバ（13）を通って加熱熱交換器（HEX3）へ流れる。
【０１６８】
加熱熱交換器（HEX3）では、１次側冷媒がポンプ回路（30）の２次側冷媒と熱交換する。この熱交換によって２次側冷媒が蒸発し、加熱熱交換器（HEX3）が高圧状態に維持される。尚、加熱熱交換器（HEX3）での２次側冷媒に対する加熱量が不足する場合には、１次側圧縮機（11）の吐出ガスを加熱熱交換器（HEX3）へ適宜導入する。具体的には、第４電磁弁（SV-4）を開き、第６分岐配管（56）を通じて吐出ガスを送り込む。
【０１６９】
加熱熱交換器（HEX3）からの１次側冷媒は、再熱熱交換器（HEX7）へと流れる。再熱熱交換器（HEX7）では、１次側冷媒が２次側回路（20）の主液配管（25）を流れる２次側冷媒と熱交換する。この熱交換によって、液側連絡管（27）へ送られる２次側冷媒が、所定温度にまで加熱される。
【０１７０】
再熱熱交換器（HEX7）からの１次側冷媒は、そのままメイン回路（15）を流れ、第１膨張弁（EV-1）で減圧された後に主熱交換器（HEX2）へ流入する。主熱交換器（HEX2）では、１次側冷媒が２次側回路（20）の２次側冷媒と熱交換する。この熱交換によって１次側冷媒が蒸発すると同時に２次側冷媒が凝縮し、２次側冷媒に冷熱が付与される。主熱交換器（HEX2）で蒸発した１次側冷媒は、１次側四路切換弁（12）を通って１次側圧縮機（11）に吸入される。
【０１７１】
２次側回路（20）では、２次側四路切換弁（23）が図５に実線で示すように切り換えられると共に、室内膨張弁（EV）が所定開度に調整される。この状態で、ポンプ回路（30）の各加圧電磁弁（SV-P1,SV-P2,SV-P3）及び各減圧電磁弁（SV-V1,SV-V2,SV-V3）を開閉し、２次側冷媒に循環駆動力を付与する。尚、冷房運転時において、第４タンク減圧電磁弁（SV-V4）は、常に閉鎖されている。
【０１７２】
そして、２次側回路（20）では、主熱交換器（HEX2）と室内熱交換器（HEX1）との間で２次側冷媒が相変化しつつ循環し、１次側回路（10）で生成した冷熱が室内熱交換器（HEX1）へ搬送される。２次側回路（20）における動作は、上記参考技術１のものと同様である。
【０１７３】
本実施形態に係るポンプ回路（30）の動作は、基本的に上記参考技術１のものと同様であるが、両メインタンク（T1,T2）及びサブタンク（ST）を減圧する際の動作については異なる。
【０１７４】
例えば、第１メインタンク（T1）を減圧する場合、第１タンク減圧電磁弁（SV-V1）を開放する。この状態で、第１メインタンク（T1）は、分岐管（41a）及び２次側回路（20）の主ガス配管（24）を介して主熱交換器（HEX2）と連通する。ここで、主熱交換器（HEX2）では、２次側冷媒を１次側回路（10）の１次側冷媒との熱交換によって冷却して凝縮させている。従って、主熱交換器（HEX2）は、低圧に維持されている。このため、第１メインタンク（T1）内のガス冷媒が主熱交換器（HEX2）に吸引され、第１メインタンク（T1）が減圧される。
【０１７５】
同様に、第２メインタンク（T2）を減圧する場合には、第２タンク減圧電磁弁（SV-V2）を開放する。また、サブタンク（ST）を減圧する場合には、第３タンク減圧電磁弁（SV-V3）を開放する。即ち、冷房運転時において、本実施形態に係る主熱交換器（HEX2）は、２次側冷媒に冷熱を付与するだけでなく、上記参考技術１における冷却熱交換器（HEX4）の機能をも果たしている。
【０１７６】
〈暖房運転〉
本実施形態に係る空調機の暖房運転時の動作について、図６を参照しながら説明する。
【０１７７】
本実施形態の１次側回路（10）では、１次側四路切換弁（12）が図６に破線で示すように切り換えられると共に、第３電磁弁（SV-3）、第４電磁弁（SV-4）、第７電磁弁（SV-7）及び第９電磁弁（SV-9）が開放され、第１膨張弁（EV-1）及び第４膨張弁（EV-4）が所定開度に調整される。また、１次側回路（10）では、第１電磁弁（SV-1）及び第８電磁弁（SV-8）が閉鎖される。この状態で１次側圧縮機（11）を運転すると、１次側回路（10）において図６に一点鎖線の矢印で示すように１次側冷媒が循環し、ヒートポンプサイクル動作が行われる。
【０１７８】
具体的に、１次側圧縮機（11）から吐出された１次側冷媒は、二手に分流されて主熱交換器（HEX2）及び加熱熱交換器（HEX3）に向かって流れる。
【０１７９】
主熱交換器（HEX2）に向かう１次側冷媒は、１次側四路切換弁（12）を通って主熱交換器（HEX2）へ流れる。主熱交換器（HEX2）では、１次側冷媒が２次側回路（20）の２次側冷媒と熱交換する。この熱交換によって１次側冷媒が凝縮すると同時に２次側冷媒が蒸発し、２次側冷媒に温熱が付与される。主熱交換器（HEX2）で凝縮した１次側冷媒は、第５分岐配管（55）を通ってレシーバ（13）へ一旦流入する。レシーバ（13）から出た１次側冷媒は、第７分岐配管（57）を流れた後にメイン回路（15）に戻る。メイン回路（15）に戻った１次側冷媒は、二手に分流されて室外熱交換器（HEX6）及び第９分岐配管（59）に向かって流れる。
【０１８０】
室外熱交換器（HEX6）に向かう１次側冷媒は、第１膨張弁（EV-1）で減圧された後に、第４分岐配管（54）を通って室外熱交換器（HEX6）へ流入する。室外熱交換器（HEX6）では、外気と熱交換を行って１次側冷媒が蒸発する。室外熱交換器（HEX6）で蒸発した１次側冷媒は、１次側四路切換弁（12）を通って１次側圧縮機（11）に吸入される。
【０１８１】
１次側圧縮機（11）から吐出されて加熱熱交換器（HEX3）に向かう１次側冷媒は、第６分岐配管（56）を通って加熱熱交換器（HEX3）へ流入する。加熱熱交換器（HEX3）では、１次側冷媒がポンプ回路（30）の２次側冷媒と熱交換する。この熱交換によって、１次側冷媒が凝縮すると同時に２次側冷媒が蒸発し、加熱熱交換器（HEX3）が高圧状態に維持される。加熱熱交換器（HEX3）で凝縮した１次側冷媒は、第７分岐配管（57）から出て分流された後に第９分岐配管（59）を流れる１次側冷媒と合流する。合流した１次側冷媒は、そのままメイン回路（15）を流れて再熱熱交換器（HEX7）へと向かう。
【０１８２】
再熱熱交換器（HEX7）に向かう１次側冷媒は、第４膨張弁（EV-4）で減圧された後に再熱熱交換器（HEX7）へ流入する。再熱熱交換器（HEX7）では、上記主液配管（25）から回収用液配管（38）を通ってメインタンク（T1,T2）に回収される２次側冷媒が、１次側冷媒と熱交換を行って冷却される。この熱交換によって、メインタンク（T1,T2）に回収される２次側冷媒が液相に維持される。即ち、本実施形態の再熱熱交換器（HEX7）は、暖房運転時において、上記参考技術１におけるタンク前熱交換器（HEX5）の機能を果たす。再熱熱交換器（HEX7）からの１次側冷媒は、第１０分岐配管（60）を通って１次側圧縮機（11）に吸入される。
【０１８３】
２次側回路（20）では、２次側四路切換弁（23）が図６に破線で示すように切り換えられると共に、室内膨張弁（EV）が所定開度に調整される。この状態で、ポンプ回路（30）の各加圧電磁弁（SV-P1,SV-P2,SV-P3）及び各減圧電磁弁（SV-V1,SV-V2,SV-V3）を開閉し、２次側冷媒に循環駆動力を付与する。尚、暖房運転時において、第３タンク減圧電磁弁（SV-V3）は、常に閉鎖されている。
【０１８４】
そして、２次側回路（20）では、主熱交換器（HEX2）と室内熱交換器（HEX1）との間で２次側冷媒が相変化しつつ循環し、１次側回路（10）で生成した温熱が室内熱交換器（HEX1）へ搬送される。２次側回路（20）における動作は、上記参考技術１のものと同様である。
【０１８５】
本実施形態に係るポンプ回路（30）の動作は、基本的に上記参考技術１のものと同様であるが、両メインタンク（T1,T2）及びサブタンク（ST）を減圧する際の動作については異なる。
【０１８６】
例えば、第１メインタンク（T1）を減圧する場合、第１タンク減圧電磁弁（SV-V1）を開放する。この状態で、第１メインタンク（T1）は、分岐管（41b）及び２次側回路（20）の主液配管（25）を介して再熱熱交換器（HEX7）と連通する。ここで、再熱熱交換器（HEX7）では、主液配管（25）を流れる低圧の２次側冷媒が１次側回路（10）の１次側冷媒との熱交換によって冷却されて過冷却状態とされている。従って、再熱熱交換器（HEX7）は、低圧に維持されている。このため、第１メインタンク（T1）内のガス冷媒は、主液配管（25）に吸引され、再熱熱交換器（HEX7）へ流れて凝縮する。これによって、第１メインタンク（T1）が減圧される。
【０１８７】
同様に、第２メインタンク（T2）を減圧する場合には、第２タンク減圧電磁弁（SV-V2）を開放する。また、サブタンク（ST）を減圧する場合には、第４タンク減圧電磁弁（SV-V4）を開放する。即ち、暖房運転時において、本実施形態に係る再熱熱交換器（HEX7）は、上述のように上記参考技術１におけるタンク前熱交換器（HEX5）の機能を果たすと同時に、上記参考技術１における冷却熱交換器（HEX4）の機能をも果たしている。
【０１８８】
−実施形態の効果−
本実施形態によれば、上記参考技術１の効果に加えて、以下の効果が得られる。即ち、本実施形態では、冷房運転時において、２次側回路（20）の主熱交換器（HEX2）が参考技術１における冷却熱交換器（HEX4）の機能をも果たしている。また、暖房運転時において、再熱熱交換器（HEX7）が参考技術１における冷却熱交換器（HEX4）及びタンク前熱交換器（HEX5）の両方の機能を果たしている。従って、参考技術１よりも熱交換器の数を削減しつつ、上記参考技術１の空調機と同等の機能を得ることができる。このため、機能を何ら損なうことなく構成を簡素化し、コストの低減を図ることが可能となる。
【０１８９】
−実施形態の変形例−
上記実施形態において、サブタンク（ST）及びバッファタンク（BT）を省略することも可能である。
【０１９０】
即ち、図７に示すように、実施形態の空調機（図５参照）から、サブタンク（ST）、バッファタンク（BT）及びこれらに接続する配管（31c,37c,39,43）を省略すると共に、液回収管（34）の構成を変更する。本変形例の液回収管（34）は、一端が加熱熱交換器（HEX3）の下端に接続され、他端が二つの分岐管（34a,34b）に分岐されている。これら分岐管（34a,34b）のうち、一方の分岐管（34a）が押出し用液配管（37）の一方の分岐管（37a）に接続され、他方の分岐管（34b）が押出し用液配管（37）の他方の分岐管（37b）に接続されている。また、各分岐管（34a,34b）には、加熱熱交換器（HEX3）へ向かう冷媒の流通のみを許容する逆止弁（CV-18）が設けられている。
【０１９１】
そして、空調機の運転時には、メインタンク（T1,T2）から押し出された２次側冷媒の一部が液回収管（34）の分岐管（34a,34b）へ流入し、この２次側冷媒が加熱熱交換器（HEX3）へ供給される。加熱熱交換器（HEX3）では、供給された２次側冷媒が蒸発することによって、内部が高圧に維持される。
【０１９２】
【発明のその他の実施の形態】
上記の実施形態および各参考技術では、いわゆる熱駆動ポンプを構成するポンプ回路（30）を２次側回路（20）に接続し、このポンプ回路（30）によって２次側冷媒を循環させている。これに対し、一般的な機械式ポンプ（遠心ポンプ等）を２次側回路（20）に設けるようにしてもよい。
【０１９３】
また、上記の実施形態および各参考技術では、１次側回路（10）に単一組成の冷媒であるＲ２２を１次側冷媒として充填しているが、これに代えて、非共沸混合冷媒であるＲ４０７Ｃを１次側冷媒として充填してもよい。
【０１９４】
上記の実施形態および各参考技術のような、冷房運転時に再熱熱交換器（HEX7）へ高圧の１次側冷媒を導入して２次側冷媒の再熱を行う構成において、１次側冷媒として非共沸混合冷媒を用いると、主熱交換器（HEX2）へ導入される際の１次側冷媒の温度を低下させることが可能となる（図９参照）。このため主熱交換器（HEX2）で冷却された後の２次側冷媒の温度を低下させることができ、冷房能力の向上を図ることができる。
【０１９５】
また、上記の実施形態および各参考技術では、２次側回路（20）に単一組成の冷媒であるＲ２２を２次側冷媒として充填しているが、これに代えて、非共沸混合冷媒であるＲ４０７Ｃを２次側冷媒として充填してもよい。
【図面の簡単な説明】
【図１】  参考技術１に係る空調機の冷房運転時における冷媒の流れを示す配管系統図である。
【図２】  参考技術１に係る空調機の暖房運転時における冷媒の流れを示す配管系統図である。
【図３】  参考技術２に係る空調機の冷房運転時における冷媒の流れを示す配管系統図である。
【図４】  参考技術２に係る空調機の暖房運転時における冷媒の流れを示す配管系統図である。
【図５】  実施形態に係る空調機の冷房運転時における冷媒の流れを示す配管系統図である。
【図６】  実施形態に係る空調機の暖房運転時における冷媒の流れを示す配管系統図である。
【図７】  実施形態の変形例に係る空調機の配管系統図である。
【図８】  本発明の効果を説明するための冷媒のモリエル線図である。
【図９】  本発明の効果を説明するための冷媒のモリエル線図である。
【符号の説明】
（10）  １次側回路（熱源、熱源回路）
（20）  ２次側回路（熱搬送回路）
（22）  室内ユニット
（27）  液側連絡管（連絡配管）
（28）  ガス側連絡管（連絡配管）
（29）  室外ユニット
（30）  ポンプ回路（搬送手段）
（T1）  第１メインタンク
（T2）  第２メインタンク
（HEX1）室内熱交換器（利用側熱交換器）
（HEX2）主熱交換器
（HEX3）加熱熱交換器（高圧部）
（HEX4）冷却熱交換器（低圧部）
（HEX7）再熱熱交換器（再熱手段）
（EV）  室内膨張弁（膨張機構）
【図１】
0003972139.tif 000002
【図２】
0003972139.tif 000003
【図３】
0003972139.tif 000004
【図４】
0003972139.tif 000005
【図５】
0003972139.tif 000006
【図６】
0003972139.tif 000007
【図７】
0003972139.tif 000008
【図８】
0003972139.tif 000009
【図９】
0003972139.tif 000010